(57)【要約】      （修正有）【課題】節水性を損なうことなく、臭気や尿石の発生を確実に防止することができる衛生維持装置付き小便器を提供する。【解決手段】使用者に対面する立壁部１０４及び立壁部１０４で受けた尿を排水口に案内する底面部を有するボウル部１０３と、排水口から流入する尿を貯留して封水を形成するとともに、排水管に連通するトラップユニット３０と、尿を発生源とするアンモニア臭及び尿石の発生を抑制するよう機能する薬剤を含んだ液剤、若しくは小便器ＵＳに配置された薬剤を溶解させる液剤を、小便器ＵＳに対して吐出する液剤吐出手段２０２と、液剤吐出手段２０２を制御する制御手段と、を備え、制御手段は、小便器ＵＳの部位に応じて、予め定められた時期に、異なる形態で、液剤を吐出させるように液剤吐出手段２０２を制御する。【選択図】図５
2014173265.tif 000002
【特許請求の範囲】
【請求項１】
尿によって封水を形成するトラップユニット全体、若しくは前記トラップユニットを構成する部品が交換可能であり、且つ薬剤を用いて小便器の衛生性を維持する衛生維持装置付き小便器であって、
使用者に対面する立壁部及び前記立壁部で受けた尿を排水口に案内する底面部を有するボウル部と、
前記排水口から流入する尿を貯留して封水を形成するとともに、排水管に連通するトラップユニットと、
尿を発生源とするアンモニア臭及び尿石の発生を抑制するよう機能する薬剤を含んだ液剤、若しくは前記小便器に配置された前記薬剤を溶解させる液剤を、前記小便器に対して吐出する液剤吐出手段と、
前記液剤吐出手段を制御する制御手段と、を備え、
前記制御手段は、前記小便器の部位に応じて、予め定められた時期に、異なる形態で、前記液剤を吐出させるように前記液剤吐出手段を制御することを特徴とする衛生維持装置付き小便器。
【請求項２】
前記液剤吐出手段は、前記ボウル部と、前記トラップユニット及び前記排水管のうち少なくとも一方と、のそれぞれに前記液剤を吐出するものであって、
前記制御手段は、前記ボウル部と、前記トラップユニット及び前記排水管のうち少なくとも一方と、にそれぞれ異なる形態で前記液剤を吐出させることを特徴とする請求項１に記載の衛生維持装置付き小便器。
【請求項３】
前記制御手段は、前記小便器の部位に応じて、前記薬剤の種類、前記液剤の吐出範囲、吐出後の前記液剤の粒径、及び前記液剤の吐出流速のうち少なくとも１つが異なるように前記液剤を吐出させることを特徴とする請求項２に記載の衛生維持装置付き小便器。
【請求項４】
前記液剤吐出手段は、前記ボウル部の立壁部に前記薬剤を含んだ液剤を吐出するものであって、
前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、付着する前記液剤の量が多くなるように前記液剤を吐出させることを特徴とする請求項３に記載の衛生維持装置付き小便器。
【請求項５】
前記制御手段は、前記ボウル部の立壁部の幅方向両側部の下部に付着する前記液剤の量が、幅方向両側部の上部に付着する前記液剤の量よりも多くなるように前記液剤を吐出させることを特徴とする請求項４に記載の衛生維持装置付き小便器。
【請求項６】
前記液剤吐出手段は、前記ボウル部の立壁部に前記薬剤を含んだ液剤を吐出するものであって、
前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、前記液剤中の前記薬剤の濃度が高くなるように前記液剤を吐出させることを特徴とする請求項３に記載の衛生維持装置付き小便器。
【請求項７】
前記制御手段は、前記ボウルの立壁部の幅方向両側部の下部に吐出される前記液剤中の前記薬剤の濃度が、幅方向両側部の上部に吐出される前記液剤中の前記薬剤の濃度よりも高くなるように前記液剤を吐出させることを特徴とする請求項６に記載の衛生維持装置付き小便器。
【請求項８】
前記液剤吐出手段は、前記ボウル部の立壁部に前記薬剤を含んだ液剤を吐出するものであって、
前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、吐出させる頻度を高めるように前記液剤を吐出させることを特徴とする請求項３に記載の衛生維持装置付き小便器。
【請求項９】
前記制御手段は、前記ボウルの立壁部の幅方向両側部の下部に前記液剤を吐出させる頻度が、幅方向両側部の上部に前記液剤を吐出させる頻度よりも高くなるように前記液剤を吐出させることを特徴とする請求項８に記載の衛生維持装置付き小便器。
【請求項１０】
前記液剤吐出手段は、前記ボウル部の立壁部に前記薬剤を含んだ液剤を吐出するものであって、
前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、外気温度に応じて前記液剤の吐出態様を変更させることを特徴とする請求項３に記載の衛生維持装置付き小便器。
【請求項１１】
前記液剤吐出手段は、前記ボウル部の立壁部に次亜塩素酸を含む液剤を吐出するものであって、
前記制御手段は、前記ボウル部の立壁部の下部に前記液剤を吐出する場合は、前記ボウル部の立壁部の上部に前記液剤を付着させることなく、前記ボウル部の立壁部の下部に前記液剤を付着させることを特徴とする請求項３に記載の衛生維持装置付き小便器。
【請求項１２】
前記ボウル部に送風してその表面を乾燥させる送風乾燥手段を備え、
前記制御手段は、前記液剤を前記ボウル部に吐出させた後に、前記ボウル部に送風させるように前記送風乾燥手段を制御することを特徴とする請求項４乃至１１のいずれか１項に記載の衛生維持装置付き小便器。
【請求項１３】
前記制御手段は、前記液剤を前記ボウル部に吐出させた後、前記ボウル部に送風を開始するまでの間に、前記ボウル部への送風を行わない待機時間を設けることを特徴とする請求項１２に記載の衛生維持装置付き小便器。
【発明の詳細な説明】
【技術分野】
【０００１】
本発明は、尿によって封水を形成するトラップユニット全体、若しくはトラップユニットを構成する部品が交換可能であり、且つ薬剤を用いて小便器の衛生性を維持する衛生維持装置付き小便器に関する。
【背景技術】
【０００２】
使用後に毎回水を供給することで、衛生性を維持する水洗式の小便器が広く普及している。人の尿は雑菌を含んでおり、使用後に小便器のボウル等に尿が残留すると、その尿中の雑菌が時間経過とともに更に増殖し、尿中の尿素を分解してアンモニアを生成することで、アンモニア臭や尿石（尿の含有成分に由来するリン酸カルシウムやリン酸マグネシウム等の固形物）が発生する。このため、一般的な水洗式小便器では、小便器のボウルに水を吐出することにより、ボウルに残留している尿を洗い流す。
【０００３】
また、この従来の水洗式小便器では、ボウルに水を吐出することで、ボウルの下流に接続されているトラップ内にその水を流入させ、貯留されている尿をその水と置換させて排出している。さらに、トラップの下流に接続される排水管内に残留している尿を、ボウルからトラップを介して供給される水によって洗い流す。その後、トラップ内を水で満たした状態で水の吐出を終える。これにより、ボウル等に残留していた尿を、尿中の雑菌が著しく増殖する前に洗い流し、アンモニアの生成や尿石の発生を抑制し、臭気の発生や尿石による排水管詰まりを防止している。トラップ内を満たす水は封水として機能し、排水管からの臭気の逆流を防止する。洗浄後にはトランプ内に水しか存在しないので、トラップ内の封水が揮発し、小便器が設置されるトイレ室内に拡散した場合でも、その揮発成分が臭気の原因となることはない。
【０００４】
ところで、近年の環境意識の高まりを受け、水を使用する設備機器に対し高い水準の節水性能が要求されており、小便器についても例外ではない。しかしながら、上記のような水洗式小便器では、ボウルへの１回の水吐出によって、ボウルの尿の洗い流しと、トラップ内の尿の置換・排出と、排水管内の尿の洗い流しを行っている。それらを確実に行うためには比較的多くの水を必要とするため、節水の観点からは水の使用量を更に削減することが求められている。
【０００５】
節水の要求に対応する小便器の一例として、下記特許文献１に示されるようなトラップを備えた、非水洗式の小便器が知られている。一般的な水洗小便器が、使用後に毎回水を供給し、トラップ内に貯留される水を封水として用いるのに対し、下記特許文献１に示されるトラップを備えた非水洗式小便器では、使用後の水の供給は基本的に行わず、トラップ内に貯留されている尿を封水として用いている。
【０００６】
トラップ内に貯留されている尿を封水として用いる場合、その尿中のアンモニアが揮発してトイレ室内に拡散することによる臭気の発生や、トラップ内での尿石の発生が懸念される。この懸念に対して、下記特許文献１に示されたトラップでは、薬剤を用いることでこの問題の解決を図っている。トラップ内に流入する尿と接触する位置にクエン酸等の薬剤が配置されており、その接触によって溶解した薬剤が、尿とともにトラップ内に流入する。このように、下記特許文献１に示されたトラップは、使用者の尿を利用してトラップ内に薬剤を供給することで、トラップ内に貯留されている尿中の雑菌の増殖を抑制し、臭気や尿石の発生を防止しようとするものである。
【０００７】
このトラップは、安価で交換可能な構成（カートリッジ）とされている。したがって、小便器の使用によって上記薬剤が消失し、トラップ内での尿石発生が進行し、やがてトラップからの尿の排出性能が悪くなった場合などでも、トラップを新たなものに交換すれば、引き続き小便器を使用することができる。
【先行技術文献】
【特許文献】
【０００８】
【特許文献１】特表２００７−５１８００５号公報
【発明の概要】
【発明が解決しようとする課題】
【０００９】
しかしながら、上記特許文献１に記載のトラップ交換式の小便器のように、使用者の尿を利用してトラップ内への薬剤供給を行う場合、例えばビルのトイレ室に設置される場合などのように、週末など使用頻度が低くなる状態では、薬剤がトラップ内へ供給されなくなる。このような場合、貯留されている尿中の雑菌の増殖を抑制できなくなり、週末の間にアンモニアの生成が進行し、週明けに臭気を発生させる課題がある。
【００１０】
また、上記特許文献１に記載のトラップ交換式の小便器では、水の供給を行わないことでボウルに尿が残留するため、その尿を発生源とする臭気や尿石の発生についても対応できていない。
【００１１】
本発明はこのような課題に鑑みてなされたものであり、その目的は、節水性を損なうことなく、臭気や尿石の発生を確実に防止することができる衛生維持装置付き小便器を提供することにある。
【課題を解決するための手段】
【００１２】
上記課題を解決するために、本発明に係る衛生維持装置付き小便器は、尿によって封水を形成するトラップユニット全体、若しくは前記トラップユニットを構成する部品が交換可能であり、且つ薬剤を用いて小便器の衛生性を維持する衛生維持装置付き小便器であって、使用者に対面する立壁部及び前記立壁部で受けた尿を排水口に案内する底面部を有するボウル部と、前記排水口から流入する尿を貯留して封水を形成するとともに、排水管に連通するトラップユニットと、尿を発生源とするアンモニア臭及び尿石の発生を抑制するよう機能する薬剤を含んだ液剤、若しくは前記小便器に配置された前記薬剤を溶解させる液剤を、前記小便器に対して吐出する液剤吐出手段と、前記液剤吐出手段を制御する制御手段と、を備える。制御手段は、前記小便器の部位に応じて、予め定められた時期に、異なる形態で、前記液剤を吐出させるように前記液剤吐出手段を制御することを特徴としている。
【００１３】
水を供給することなく、若しくは殆ど供給することなく使用される小便器においては、尿の残留は不可避である。残留する尿に何らの対策もしなければ雑菌が増殖するが、この増殖の程度は、小便器の部位によって大きく異なる。つまり、小便器のうち、尿が残留し易い部位と残留し難い部位とでは雑菌の増殖の程度が大きく異なっており、本発明者らは、臭気や尿石の発生を少量の薬剤で効率良く抑制するためには、供給する薬剤及び液剤の量等も部位に応じて異ならせることが好ましいという知見を見出した。このような知見に基づいて成された本発明によれば、小便器の部位に応じて、予め定められた時期に異なる形態で、液剤吐出手段を介して液剤を吐出させることで、部位によって程度が異なったものとなっている雑菌の増殖に適した態様で、液剤を吐出させることを可能にしている。これにより、少量の薬剤及び液剤によって臭気や尿石の発生を確実に抑制するという、効率の高い衛生維持を行うことが可能となる。さらに、尿石発生によるトラップユニットの性能低下等も抑制することができる。これにより、トラップユニットやそれを構成する部品の交換頻度を低減させ、交換作業の負担やコスト負担を軽減することが可能になる。
【００１４】
また本発明に係る衛生維持装置付き小便器では、前記液剤吐出手段は、前記小便器の前記ボウル部と、前記トラップユニット及び前記排水管のうち少なくとも一方と、のそれぞれに前記液剤を吐出するものであって、前記制御手段は、前記ボウル部と、前記トラップユニット及び前記排水管のうち少なくとも一方と、にそれぞれ異なる形態で前記液剤を吐出させることも好ましい。
【００１５】
上記のように小便器は部位によって尿の残留のし易さに差がある。特に、使用者の尿を受けた後、トラップユニット側に案内するように形成されているボウル部においては、トラップユニット等の他の部位に比べて尿が残留し難い。したがって、ボウル部における雑菌の増殖は、他部位と比較して軽度なものとなる。そこでこの好ましい態様では、小便器のボウル部及び他の少なくとも１つの部位に、それぞれ異なる形態で液剤を吐出させるため、雑菌の増殖の程度が特に異なる部位に応じて、形態を異ならせて液剤を吐出させることが可能となり、少量の薬剤及び液剤によって、さらに効率的に衛生維持とトラップユニット等の交換頻度低減を図ることが可能となる。
【００１６】
また本発明に係る衛生維持装置付き小便器では、前記制御手段は、前記小便器の部位に応じて、前記薬剤の種類、前記液剤の吐出範囲、吐出後の前記液剤の粒径、及び前記液剤の吐出流速のうち少なくとも１つが異なるように前記液剤を吐出させることも好ましい。
【００１７】
この好ましい態様では、小便器の各部位で程度が異なったものとなっている雑菌の増殖に応じて、薬剤がその機能を確実に発揮できる形態で液剤を吐出させ、少量の薬剤及び液剤によって、さらに効率的に衛生維持とトラップユニット等の交換頻度低減を図ることが可能となる。
【００１８】
また本発明に係る衛生維持装置付き小便器では、前記液剤吐出手段は、前記ボウル部の立壁部に前記薬剤を含んだ液剤を吐出するものであって、前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、付着する前記液剤の量が多くなるように前記液剤を吐出させることも好ましい。
【００１９】
ボウル部の立壁部の幅方向中央部は、使用者から排出される尿が直接当たり易い部位である。したがって、ある使用者の使用後に、立壁部の幅方向中央部にその使用者の尿が残留しても、その尿は次にやってくる使用者の尿によって流され易い。すなわち、立壁部の幅方向中央部は、尿が残留しても頻繁に置換されるため、そこでの雑菌の増殖は比較的軽度なものとなる。一方、立壁部の幅方向両側部は、幅方向中央部ほど使用者の尿が直接当たる頻度が高くなく、幅方向中央部に当たって拡散・飛散した尿が付着し易い部位である。したがって、立壁部の幅方向両側部には同じ尿が残留しやすく、そこでの雑菌の増殖は比較的重度なものとなる。
【００２０】
そこで、この好ましい態様では、ボウル部の立壁部の幅方向両側部に液剤を吐出させる場合は、小便器のボウル部以外の部位に液剤を吐出させる場合と薬剤の種類、液剤の吐出範囲、吐出後の液剤の粒径、及び液剤の吐出流速のうち少なくとも１つを異ならせるとともに、付着する液剤の量が多くなるように液剤を吐出させている。このように液剤の吐出を工夫することで、雑菌の増殖が比較的重度となりやすい立壁部の幅方向両側部に優先的に液剤を付着させて薬剤を機能させることが可能となる。従って、少量の薬剤及び液剤によって、さらに効率的に衛生維持とトラップユニット等の交換頻度低減を図ることが可能となる。
【００２１】
また本発明に係る衛生維持装置付き小便器では、前記制御手段は、前記ボウル部の立壁部の幅方向両側部の下部に付着する前記液剤の量が、幅方向両側部の上部に付着する前記液剤の量よりも多くなるように前記液剤を吐出させることも好ましい。
【００２２】
使用者から排出されてボウルの立壁部に当たった尿は、その立壁部を伝って下方へと流れ落ちる。したがって、ボウルの下部は、上部に比べて尿が残留し易く、そこでの雑菌の増殖も重度なものとなり易い。そこで、この好ましい態様では、雑菌の増殖が比較的重度となるボウル部の立壁部の幅方向両側部の中でも、特に尿の残留し易い下部に優先的に液剤を付着させて薬剤を機能させ、臭気及び尿石の発生をさらに効率的に抑制している。
【００２３】
また本発明に係る衛生維持装置付き小便器では、前記液剤吐出手段は、前記ボウル部の立壁部に前記薬剤を含んだ液剤を吐出するものであって、  前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、前記液剤中の前記薬剤の濃度が高くなるように前記液剤を吐出させることも好ましい。
【００２４】
この好ましい態様では、ボウル部の立壁部の幅方向両側部に液剤を吐出させる場合は、小便器の前記ボウル部以外の部位に液剤を吐出させる場合と薬剤の種類、液剤の吐出範囲、吐出後の液剤の粒径、及び液剤の吐出流速のうち少なくとも１つを異ならせて液剤を吐出させ、薬剤の濃度が高くなるように液剤を吐出させている。このように液剤の吐出を工夫しているため、雑菌の増殖が比較的重度となりやすい立壁部の幅方向両側部に優先的に薬剤を供給して機能させることが可能となる。従って、少量の薬剤及び液剤によって、さらに効率的に衛生維持とトラップユニット等の交換頻度低減を図ることが可能となる。
【００２５】
また本発明に係る衛生維持装置付き小便器では、前記制御手段は、前記ボウルの立壁部の幅方向両側部の下部に吐出される前記液剤中の前記薬剤の濃度が、幅方向両側部の上部に吐出される前記液剤中の前記薬剤の濃度よりも高くなるように前記液剤を吐出させることも好ましい。
【００２６】
この好ましい態様では、雑菌の増殖が比較的重度となるボウル部の立壁部の幅方向両側部の中でも、特に尿の残留し易い下部に優先的に薬剤を供給して機能させることが可能となり、臭気及び尿石の発生をさらに効率的に抑制することができる。
【００２７】
また本発明に係る衛生維持装置付き小便器では、前記液剤吐出手段は、前記ボウル部の立壁部に前記薬剤を含んだ液剤を吐出するものであって、前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、吐出させる頻度を高めるように前記液剤を吐出させることも好ましい。
【００２８】
この好ましい態様では、ボウル部の立壁部の幅方向両側部に液剤を吐出させる場合は、小便器のボウル部以外の部位に液剤を吐出させる場合と薬剤の種類、液剤の吐出範囲、吐出後の液剤の粒径、及び液剤の吐出流速のうち少なくとも１つを異ならせるとともに、吐出させる頻度を高めるように液剤を吐出させている。従って、雑菌の増殖が比較的重度となりやすい立壁部の幅方向両側部においても、時間経過によってその雑菌の増殖が著しく進行する前に優先的に薬剤を供給して機能させることが可能となり、臭気及び尿石の発生をさらに効率的に抑制することができる。
【００２９】
また本発明に係る衛生維持装置付き小便器では、前記制御手段は、前記ボウルの立壁部の幅方向両側部の下部に前記液剤を吐出させる頻度が、幅方向両側部の上部に前記液剤を吐出させる頻度よりも高くなるように前記液剤を吐出させることも好ましい。
【００３０】
この好ましい態様では、雑菌の増殖が比較的重度となるボウル部の立壁部の幅方向両側部の中でも、特に尿の残留し易い下部において、時間経過によってその雑菌の増殖が著しく進行する前に優先的に薬剤を供給して機能させることが可能となり、臭気及び尿石の発生をさらに効率的に抑制することができる。
【００３１】
また本発明に係る衛生維持装置付き小便器では、前記液剤吐出手段は、前記ボウル部の立壁部に前記薬剤を含んだ液剤を吐出するものであって、前記制御手段は、前記ボウル部の立壁部の幅方向両側部に前記液剤を吐出させる場合には、前記トラップユニット及び前記排水管のうち少なくとも一方に前記液剤を吐出させる場合に対して、前記薬剤の種類、前記液剤の吐出範囲、吐出後の前記液剤の粒径、及び前記液剤の吐出流速のうち少なくとも１つを異ならせるとともに、外気温度に応じて前記液剤の吐出態様を変更させることも好ましい。
【００３２】
例えば、トラップユニットに貯留されている尿に薬剤を供給し、その尿に起因する臭気や尿石の発生を抑制する場合、尿に溶解可能な薬剤の量は外気温度によって変化する。すなわち、外気温度が高いほど、貯留される尿の温度も高くなり、溶解可能な薬剤量や溶解速度も大きくなる。そこで、この好ましい態様では、ボウル部の立壁部の幅方向両側部に液剤を吐出させる場合は、薬剤の種類、液剤の吐出範囲、吐出後の液剤の粒径、及び液剤の吐出流速のうち少なくとも１つが、小便器のボウル部以外の部位に液剤を吐出させる場合と異なるとともに、外気温度に応じても異なるよう液剤を吐出させている。これにより、外気温度とともに変動する薬剤の溶解量等に応じて供給する薬剤の量を最適なものに補正し、臭気及び尿石の発生をさらに効率的に抑制することができる。
【００３３】
また本発明に係る衛生維持装置付き小便器では、前記液剤吐出手段は、前記ボウル部の立壁部に次亜塩素酸を含む液剤を吐出するものであって、前記制御手段は、前記ボウル部の立壁部の下部に前記液剤を吐出する場合は、前記ボウル部の立壁部の上部に前記液剤を付着させることなく、前記ボウル部の立壁部の下部に前記液剤を付着させることも好ましい。
【００３４】
殺菌作用を有する次亜塩素酸を含んだ液剤を吐出することにより、尿中の雑菌の増殖を抑制して臭気等の発生を抑制することも可能である。しかしながら、吐出した液剤を、ボウル部の立壁部の上部から伝わせることで立壁部の下部に供給しようとすると、液剤が下部に到達した際には次亜塩素酸の濃度が減衰してしまっていることから、立壁部の下部で確実に殺菌を行うためには多量の次亜塩素酸を要するという問題がある。そこで、この好ましい態様では、ボウル部の立壁部の下部に液剤を吐出する場合は、ボウル部の立壁部の上部に液剤を付着させることなく、ボウル部の立壁部の下部に液剤を付着させることで、次亜塩素酸の濃度減衰を抑制し、雑菌の増殖が特に顕著な立壁部の下部に高濃度の次亜塩素酸を供給し、臭気及び尿石の発生をさらに確実に抑制することができる。
【００３５】
また本発明に係る衛生維持装置付き小便器では、前記ボウル部に送風してその表面を乾燥させる送風乾燥手段を備え、前記制御手段は、前記液剤を前記ボウル部に吐出させた後に、前記ボウル部に送風させるように前記送風乾燥手段を制御することも好ましい。
【００３６】
この好ましい態様では、送風によりボウル部を乾燥させることで、雑菌の増殖が著しく抑制されるため、乾燥後は少量の液剤及び薬剤によって臭気及び尿石の発生が抑制された状態を維持することが可能となる。
【００３７】
また本発明に係る衛生維持装置付き小便器では、前記制御手段は、前記液剤を前記ボウル部に吐出させた後、前記ボウル部に送風を開始するまでの間に、前記ボウル部への送風を行わない待機時間を設けることも好ましい。
【００３８】
吐出された液剤がボウル部に付着しても、即座に薬剤がその機能を発揮できるわけではなく、臭気抑制等の効果が表れるまでには時間を要する。したがって、ボウル部への液剤の吐出後、すぐに送風を開始してボウル部を乾燥させると、ボウル部に付着している液剤は、その機能を十分に発揮できないまま蒸発してしまう。そこで、この好ましい態様では、液剤をボウル部に吐出させた後、ボウル部に送風を開始するまでの間に、ボウル部への送風を行わない待機時間を設けることで、薬剤が機能発揮できる時間を確保し、臭気及び尿石を確実に抑制することが可能となる。
【発明の効果】
【００３９】
本発明によれば、節水性を損なうことなく、臭気や尿石の発生を確実に防止することができる衛生維持装置付き小便器を提供することができる。
【図面の簡単な説明】
【００４０】
【図１】本発明の実施形態に係る小便器を示す概略構成図である。
【図２】図１のＡ―Ａ断面を示す図である。
【図３】図１のＢ―Ｂ断面を示す図である。
【図４】図１に示す衛生維持装置の制御的な構成を示すブロック図である。
【図５】図１及び図４に示す衛生維持装置を用いて小便器の衛生維持動作をする際の制御モードを説明するための図である。
【図６】図１及び図４に示す衛生維持装置を用いて小便器の衛生維持動作をする際の制御モードを説明するための図である。
【図７】図１及び図４に示す衛生維持装置を用いて小便器の衛生維持動作をする際の制御モードを説明するための図である。
【図８】図１及び図４に示す衛生維持装置を用いて小便器の衛生維持動作をする際の制御モードを説明するための図である。
【図９】図１及び図４に示す衛生維持装置を用いて小便器の衛生維持動作をする際の制御モードを説明するための図である。
【図１０】図１及び図４に示す衛生維持装置を用いて小便器の衛生維持動作をする際の制御モードを説明するための図である。
【図１１】図１及び図４に示す衛生維持装置を用いて小便器の衛生維持動作をする際の制御モードを説明するための図である。
【図１２】図１及び図４に示す衛生維持装置を用いて小便器の衛生維持動作をする際の制御モードを説明するための図である。
【図１３】図１及び図４に示す衛生維持装置を用いて小便器の衛生維持動作をする際の制御モードを説明するための図である。
【図１４】図１に示すノズルユニットの吐出態様を説明するための図である。
【図１５】図１に示すノズルユニットの吐出態様を説明するための図である。
【図１６】図１に示すノズルユニットの吐出態様を説明するための図である。
【図１７】図１に示すトラップユニットを説明するための概略断面図である。
【図１８】図１７に示す薬剤の溶け方を説明するための図である。
【図１９】図１及び図４に示す衛生維持装置の制御方法を説明するためのフローチャートである。
【図２０】図１及び図４に示す衛生維持装置の制御方法を説明するためのフローチャートである。
【図２１】図１及び図４に示す衛生維持装置の制御方法を説明するためのフローチャートである。
【図２２】ｐＨと臭気強度との相関関係を説明するための図である。
【図２３】ｐＨと菌数との相関関係を説明するための図である。
【図２４】ｐＨと尿石量との相関関係を説明するための図である。
【図２５】小便器表面での菌及びアンモニア付着量の経時変化を説明するための図である。
【図２６】尿に菌を加えた場合のｐＨの経時変化を説明するための図である。
【図２７】本実施形態の変形例に係るトラップユニットを説明するための概略断面図である。
【図２８】本実施形態の変形例に係るトラップユニットを説明するための概略断面図である。
【図２９】本実施形態の変形例に係るトラップユニットを説明するための概略断面図である。
【図３０】本実施形態の変形例に係るトラップユニットを説明するための概略断面図である。
【図３１】本実施形態の変形例に係るトラップユニットを説明するための概略断面図である。
【図３２】本実施形態の変形例に係るトラップユニットを説明するための概略断面図である。
【図３３】本実施形態の変形例に係るトラップユニットを説明するための概略断面図である。
【発明を実施するための形態】
【００４１】
以下、添付図面を参照しながら本発明の実施の形態について説明する。理解を容易にするため、各図面において同一の構成要素に対しては可能な限り同一の符号を付し、重複する説明は省略する。
【００４２】
まず、図１，２，３を参照して本発明の実施形態に係る衛生維持装置付小便器を説明する。図１は、本発明の実施形態に係る小便器ＵＳの正面視を示す概略構成図である。図２は、図１のＡ―Ａ断面を示す断面図であり、図３は、図１のＢ―Ｂ断面を示す断面図である。小便器ＵＳは、小便器本体１０と、衛生維持装置２０と、トラップユニット３０と、を備える。
【００４３】
小便器本体１０は、その背面をトイレ室の壁ＷＬに当接させて設置される。小便器本体１０は、陶器や樹脂材料といった任意の形に形成可能な材料及び形成方法で形成されている。小便器本体１０は、ノズルカバー１０１と、人体検知センサー１０２と、ボウル部１０３とを有する。
【００４４】
ノズルカバー１０１は、後述するノズルユニット２０２及びボウル乾燥ファン２０３を覆うためのカバーである。ノズルユニット２０２及びボウル乾燥ファン２０３は、小便器本体１０の上方に配置されているので、ノズルカバー１０１も小便器本体１０の上方に配置される。
【００４５】
人体検知センサー１０２は、小便器ＵＳを使用する使用者を検知するためのセンサーである。人体検知センサー１０２は、ボウル部１０３の中央近傍の裏側に設けられている。人体検知センサー１０２は、マイクロ波を用いたセンサーである。人体検知センサー１０２は、立壁部１０４を透過させてマイクロ波を照射しており、使用者の体で反射して戻ってくる反射波によって、使用者が使用中であることや、使用を終えて小便器ＵＳを離れたことを検知することができる。
【００４６】
ボウル部１０３は、立壁部１０４及び底面部１０５を有する。底面部１０５には、底面開口部１０６が形成されている。ボウル部１０３は、使用者が立位姿勢で排出した尿を受ける部分である。立壁部１０４は、用便中の使用者と対面してその尿を直接受ける部分であり、上下左右に延びる壁状部分である。底面部１０５は、立壁部で１０４受けて下方に流れた尿を、排水口である底面開口部１０６に案内する部分であり、前後左右に延びる床状部分である。底面部１０５によって底面開口部１０６に案内された尿は、底面開口部１０６からボウル部１０３外に排出される。
【００４７】
衛生維持装置２０は、コントロールユニット２０１と、ノズルユニット２０２と、ボウル乾燥ファン２０３と、を有する。衛生維持装置２０は、小便器本体１０の背面側に設けられている。コントロールユニット２０１は、ノズルユニット２０２及びボウル乾燥ファン２０３を駆動する制御信号を出力する。衛生維持装置２０の制御的な構成については後述する。
【００４８】
ノズルユニット２０２は、ボウル部１０３の立壁部１０４上方に設けられ、コントロールユニット２０１から供給される液剤をボウル部１０３内に向けて吐出する。ノズルユニット２０２の前面には、薄板状のノズルカバー１０１が設けられ、使用者から見えないようノズルユニット２０２を覆って、意匠性を向上させている。
【００４９】
ボウル乾燥ファン２０３は、ボウル部１０３の立壁部１０４上方に設けられ、ノズルカバー１０１によって覆われている。ボウル乾燥ファン２０３の駆動により、ボウル部１０３内に送風してボウル部１０３を乾燥させることができる。
【００５０】
トラップユニット３０は、排水口である底面開口部１０５の下方に設けられる。トラップユニット３０は、底面開口部１０５から排出された尿をその内部に流入させるとともに、流れ込んだ尿を貯留して封水とするように構成されている。トラップユニット３０の下流側である壁ＷＬには、排水管ＷＴが設けられている。このように尿を封水とすることで、下流側に接続されている排水管ＷＴからの臭気の逆流を防止している。トラップユニット３０は、底面開口部１０５に対し着脱することで交換可能に構成されている。
【００５１】
続いて、図４を参照しながら、小便器ＵＳの制御的な構成について説明する。図４は、小便器ＵＳ及び衛生維持装置２０の制御的な構成を示すブロック構成図である。
【００５２】
図４に示すように、小便器ＵＳの衛生維持装置２０は、コントロールユニット２０１と、ノズルユニット２０２（液剤吐出手段）と、ボウル乾燥ファン２０３と、電源コネクタ２１９とを備えている。
【００５３】
コントロールユニット２０１は、ＣＰＵ２１１（制御手段）と、液剤タンク２１２と、電解ユニット２１３と、電動ポンプ２１４と、流路切替バルブ２１５と、水位センサー２１６と、温度センサー２１７と、操作スイッチ２１８と、警告ランプ２２０と、を有する。
【００５４】
液剤タンク２１２は、液剤を貯留するものであり、本実施形態では水道水（塩化物イオンを含む水）を貯留している。液剤タンク２１２の容量は５００ｍｌとである。本実施形態では、小便器装置１への給水のための配管工事が不要とするため、水を貯留するタンク方式としている。液剤タンク２１２には蓋２２１が設けられており、蓋２２１を外して水を補給することができる。尚、トイレ室に配設される給水管によって水道水が供給される方式としてもよい。尚、本実施形態では塩化物イオンを含む水道水を電気分解し、次亜塩素酸を含む殺菌水として供給しているが、液剤としては次亜塩素酸を含む水に限られるものではない。例えば、バチルス菌を用いた液剤や、殺菌剤を液剤として用いることができ、尿石菌の殺菌に効果があるものが適宜採用されうる。
【００５５】
液剤タンク２１２には、水位センサー２１６が設けられている。水位センサー２１６は、液剤タンク２１２内の水位を検知し、その検知結果を示す測定信号をＣＰＵ２１１に出力する。
【００５６】
液剤タンク２１２に貯留された水は、電動ポンプ２１４が駆動されることによって、電解ユニット２１３に供給される。
【００５７】
電解ユニット２１３は、電動ポンプ２１４の下流側に設けられている。電解ユニット２１３の内部には、一対の電極（図４には明示しない）が設けられている。電動ポンプ２１４によって液剤タンク２１２から供給される水は、電解ユニット２１３内の一対の電極に電圧を印加することで、その水に含まれる塩化物イオンによって次亜塩素酸が生成される。次亜塩素酸は殺菌及び漂泊作用を有する物質であり、尿中の雑菌を死滅させるのに好適である。電解ユニット２１３において生成された次亜塩素酸を含む水は、流路切替バルブ２１５に供給される。
【００５８】
流路切替バルブ２１５は、電解ユニット２１３の下流側に設けられている。流路切替バルブ２１５は、電解ユニット２１３から供給される次亜塩素酸を含んだ水を、ノズルユニット２０２に供給する。より具体的には、流路切替バルブ２１５は、ボウル用ミストノズル２０２ａ、ボウル用ミストノズル２０２ｂ、ボウル用ミストノズル２０２ｃ、及びトラップ用液ノズル２０２ｄの１つまたは複数から水を吐出させるように流路を切り替える。
【００５９】
ノズルユニット２０２は、ボウル用ミストノズル２０２ａ、ボウル用ミストノズル２０２ｂ、ボウル用ミストノズル２０２ｃ、及びトラップ用液ノズル２０２ｄを有する。ボウル用ミストノズル２０２ａ，２０２ｂ，２０２ｃは、ボウル部１０３に液剤を供給するためのものである。トラップ用液ノズル２０２ｄは、トラップユニット３０に液剤を供給するためのものである。トラップ用液ノズル２０２ｄは、ボウル部用ミストノズル２０２ａ，２０２ｂ，２０２ｃよりもボウル部１０３の立壁部１０４から離れた位置に設けられている。
【００６０】
ＣＰＵ２１１は、人体検知センサー１０２、水位センサー２１６、温度センサー２１７、操作スイッチ２１８から検知信号や操作信号を受信し、電動ポンプ２１４、電解ユニット２１３、流路切替バルブ２１５、警告ランプ２２０、ボウル乾燥ファン２０３に制御信号を出力する。制御手段としてのＣＰＵ２１１の制御フローについては後述する。
【００６１】
操作スイッチ２１８は、清掃作業者等が、強制的に電解ユニット２１３を駆動させてノズルユニット２０２から次亜塩素酸を含む水をボウルに向けて吐出し、ボウル部の殺菌を行うために投入するスイッチである。操作スイッチ２１８は、このように清掃時に投入されることを想定して設けられるものである。
【００６２】
人体検知センサー１０２は、上述したように、小便器本体１０の前方の使用者の存在を検知するためのセンサーである。人体検知センサー１０２は、使用者の存在を検知すると、ＣＰＵ２１１に検知信号を発信する。
【００６３】
温度センサー２１７は、小便器ＵＳが設置されるトイレ室等の温度を検知するためのセンサーである。後述するように、温度によって変化する小便器ＵＳの状況に応じて、効率良く液剤を使用して行うために、その温度の取得手段として設けられるものである。なお、本実施形態では、温度によって変化をみるものとしたが、たとえば、使用している時期を夏季／冬季で分けるスイッチなどを設けて、季節によって変わる温度に合わせて、大まかな制御を実行するようにしてもかまわない。
【００６４】
ボウル乾燥ファン２０３は、上述したように、ボウル部１０３の表面を乾燥するためのファンである。ボウル乾燥ファン２０３は、ＣＰＵ２１１から出力される指示信号に基づいて駆動される。
【００６５】
警告ランプ２２０は、ＣＰＵ２１１から出力される制御信号に基づいて、点灯するランプであ。警告ランプ２２０は、点滅や点灯のタイミングや間隔、点灯色等によって、所定の内容のメッセージを清掃作業者等に発する。
【００６６】
電源コネクタ２１９は、建築躯体側のコンセントに差し込まれることで、衛生維持装置２０に電力を供給するものである。
【００６７】
続いて、図５，６，７，８，９，１０，１１，１２，１３を参照しながら、ノズルユニット２０２からの液剤の吐出態様、ボウル乾燥ファン２０３の動作について説明する。図５〜１３は、ノズルユニット２０２からの液剤の吐出態様、ボウル乾燥ファン２０３の動作を説明するための模式図である。
【００６８】
図５に示すように、電解ユニット２１３には電極２１３ａと電極２１３ｂとが設けられている。制御手段であるＣＰＵ２１１からの制御信号により、電極２１３ａと電極２１３ｂとの間に電圧が印加され、次亜塩素酸を含む水がノズルユニット２０２に供給される。ノズルユニット２０２から吐出された水は、ボウル部１０３に噴霧され、排出口である底面開口部１０６からトラップユニット３０に排出される。
【００６９】
トラップユニット３０は、尿及びノズルユニット２０２から吐出される水を一時的に貯留し、排水管ＵＴ（図３参照）に排出する。トラップユニット３０は、容器３０１と、カバー３０２と、薬剤３０４とを有している。トラップユニット３０の詳細な構造については後述する。
【００７０】
本実施形態では、ボウル部１０３の立壁部１０４を６つのゾーンに区切り、それぞれの汚れの傾向に合わせて次亜塩素酸を含む水の吐出態様を定めている。立壁部１０４を上段及び下段に区切り、更に、上段をゾーンＩ、ゾーンＩＩ、ゾーンＩＩＩに区切り、下段をゾーンＩＶ、ゾーンＶ、ゾーンＶＩに区切っている。上段では、ゾーンＩＩを中央に配置し、立壁部１０４に向かって左側にゾーンＩを配置し、右側にゾーンＩＩＩを配置している。下段では、ゾーンＶを中央に配置し、立壁部１０４に向かって左側にゾーンＩＶを配置し、右側にゾーンＶＩを配置している。
【００７１】
ボウル用ミストノズル２０２ａから吐出される液剤は、左下部のゾーンＩＶ及び右下部のゾーンＶＩを指向するように吐出される。ボウル用ミストノズル２０２ｂから吐出される液剤は、左上部のゾーンＩ、中央上部のゾーンＩＩ、及び右上部のゾーンＩＩＩを指向するように吐出される。ボウル用ミストノズルから２０２ｃ吐出される液剤は、中央下部のゾーンＶを指向するように吐出される。トラップ用液ノズル２０２ｄから吐出される液剤は、底面開口部１０６を指向するように吐出される。
【００７２】
ボウル用ミストノズル２０２ａ，２０２ｂ，２０２ｃから吐出される液剤は、いずれもゾーンＩ〜ＶＩのいずれかに広がりを持って供給されるものであるため、ボウル用ミストノズル２０２ａ，２０２ｂ，２０２ｃからは霧状に液剤が吐出される。一方、トラップ用液ノズル２０２ｄから吐出される液剤は、底面開口部１０６に確実に供給されるものであるため、トラップ用液ノズル２０２ｄからは液状に液剤が吐出される。
【００７３】
より具体的には、ボウル用ミストノズル２０２ａから吐出される液剤は、ミストの粒径が比較的大きく、流量も多い。ボウル用ミストノズル２０２ａから吐出される液剤の流速は中程度である。
【００７４】
ボウル用ミストノズル２０２ｂ，２０２ｃから吐出される液剤は、ミストの粒径が比較的小さく、流量も少ない。ボウル用ミストノズル２０２ｂ，２０２ｃから吐出される液剤の流速は、ボウル用ミストノズル２０２ａから吐出される液剤の流速よりも遅い。
【００７５】
トラップ用液ノズル２０２ｄから吐出される液剤は、間欠又は連続の液状吐水として吐出される。トラップ用液ノズル２０２ｄから吐出される液剤の流量は可変である。トラップ用液ノズル２０２ｄから吐出される液剤の流速は、ボウル用ミストノズル２０２ａから吐出される液剤の流速と同程度である。
【００７６】
続いて、図５を参照しながら、ボウル部１０３の立壁部１０４の各部位における、臭気や尿石の発生の特性について説明する。人の尿は、排尿後すぐに強い臭気や尿石を発生させるものではなく、時間経過とともにその傾向を強める。つまり、人の尿は無数の雑菌を含んでおり、その尿中の雑菌が時間経過とともに更に増殖し、尿中の尿素を分解してアンモニアを生成する。このアンモニアの生成により、アンモニア臭や尿石（尿の含有成分に由来するリン酸カルシウムやリン酸マグネシウム等の固形物）が発生する。したがって、小便器本体１０に使用者の尿が長時間残留すると、その尿における雑菌の増殖により、臭気や尿石が発生する。
【００７７】
小便器本体１０の使用者は、立壁部１０４の前方で、概ねその幅方向の中央部に立って排尿する。このため、使用者が排出する尿は、立壁部１０４の幅方向中央部である中央上部のゾーンＩＩ、中央下部のゾーンＶに直接当たり易い。特に、中央下部のゾーンＶは使用者の身長によらず直接当たり易い。したがって、ある使用者の使用（排尿）後、この立壁部１０４の中央上部のゾーンＩＩ、中央下部のゾーンＶに尿が残留しても、その尿は、次の使用者が排出して同じ部位に当たる尿によって流され易い。このように、中央上部のゾーンＩＩ、中央下部のゾーンＶは、尿が残留しても新たな尿と置換され易い部位であるから、そこにおける雑菌が著しく増殖と、それによる臭気や尿石の発生は比較的軽度なものとなる。
【００７８】
一方、ボウル部１０３の立壁部１０４の幅方向両側部である左上部のゾーンＩ、右上部のゾーンＩＩＩ、左下部のゾーンＩＶ、右下部のゾーンＶＩは、幅方向中央部である中央上部のゾーンＩＩ、中央下部のゾーンＶほど使用者の尿が直接当たる頻度が高くなく、幅方向中央部に当たって拡散・飛散した尿が付着し易い部位である。したがって、これら立壁部１０４の幅方向両側部では、同じ尿が置換されることなく長時間残留し易く、そこでの雑菌の増殖は比較的重度なものとなる。
【００７９】
さらに、ボウル部１０３の立壁部１０４の幅方向両側部の中でも、左下部のゾーンＩＶ及び右下部のゾーンＶＩは、特に雑菌の増殖が重度となりやすい。左上部のゾーンＩ及び右上部のゾーンＩＩに残留する尿が、その自重によって次第に下方の左下部のゾーンＩＶと右下部のゾーンＶＩに流れ、比較的多量の尿が残留するためである。
【００８０】
雑菌の増殖に上述のような傾向がある立壁部１０４に対して、本実施形態では、「ボウル部殺菌モード１」「ボウル部殺菌モード２」「ボウル部殺菌モード３」の３つのモードで殺菌動作を行なっている。なお、図５に示す状態は、小便器ＵＳが使用中又は使用待機中の状態であり、電解ユニット２１３や電動ポンプ２１４（図４参照）を駆動させず、ノズルユニット２０２からの液剤の吐出を行わない「待機モード」である。
【００８１】
図６に「ボウル部殺菌モード１」の液剤吐出状況を模式的に示す。図４及び図６を参照しながら「ボウル部殺菌モード１」について説明する。「ボウル部殺菌モード１」では、ボウル部１０３の立壁部１０４の部位の中でも、特に雑菌の増殖が重度となる、幅方向両側部の下部（ゾーンＩＶ及びゾーンＶＩ）に液剤を供給し、そこからの臭気と尿石の発生を抑制するためのモードである。
【００８２】
具体的には、電解ユニット２１３において一対の電極２１３ａ，２１３ｂに電圧を印加することで、電動ポンプ２１４から供給されてくる液剤（塩化物イオンを含んだ水）を電気分解し、次亜塩素酸を生成する。より詳細には、陽極側電極２１３ｂで塩素を発生させ、この塩素と水の反応によって次亜塩素酸を生成する。そして、殺菌性能を有するこの次亜塩素酸を薬剤として含んだ液剤（水）を、ノズルユニット２０２のボウル用ミストノズル２０２ａから吐出させる。
【００８３】
ボウル用ミストノズル２０２ａから吐出された液剤は、左下部のゾーンＩＶと右下部のゾーンＶＩに直接指向するよう吐出される。液剤が立壁部１０４の左上部のゾーンＩ、右上部のゾーンＩＩＩに供給されたあとに、そこを伝って下方の左下部のゾーンＩＶと右下部のゾーンＶＩに供給されるのではなく、吐出時からその方向が左下部のゾーンＩＶと右下部のゾーンＶＩに向けられるよう、ボウル用ミストノズル２０２ａのノズル孔の向きが設定されている。これにより、ボウル部１０３の立壁部１０４において雑菌の増殖が重度となる部位に優先的に薬剤（次亜塩素酸）を供給し、そこに残留する尿中の雑菌を死滅させてアンモニアの生成を抑制し、臭気と尿石の発生を抑制するものである。
【００８４】
図７に「ボウル部殺菌モード２」の液剤吐出状況を模式的に示す。図４及び図７を参照しながら「ボウル部殺菌モード２」について説明する。「ボウル部殺菌モード２」では、ボウル部１０３の立壁部１０４の幅方向両側部の下部に加え、立壁部１０４の上部にも液剤を供給し、そこからの臭気と尿石の発生を抑制するためのモードである。
【００８５】
電解ユニット２１４において次亜塩素酸を生成する点は「ボウル部殺菌モード１」と同様である。ノズルからの吐出態様は「ボウル部殺菌モード１」とは異なり、ボウル用ミストノズル２０２ａからの左下部のゾーンＩＶと右下部のゾーンＶＩへの液剤（次亜塩素酸を含んだ水）の吐出に加え、ボウル用ミストノズル２０２ｂからボウル部１０３の上部である左上部のゾーンＩ、中央上部のゾーンＩＩ、右上部のゾーンＩＩＩにも液剤を吐出する。
【００８６】
図８に「ボウル部殺菌モード３」の液剤吐出状況を模式的に示す。図４及び図８を参照しながら「ボウル部殺菌モード３」について説明する。「ボウル部殺菌モード３」は、小便器１の前回使用時からの経過時間が長くなり、ボウル部１０３の立壁部１０４における雑菌の増殖が著しいと推測される状況で、その立壁部１０４全体に液剤を供給し、臭気と尿石の発生を抑制するためのモードである。
【００８７】
電解ユニット２１４において次亜塩素酸を生成する点は「ボウル部殺菌モード１」と同様である。ノズルからの吐出態様は「ボウル部殺菌モード１」とは異なり、ボウル用ミストノズル２０２ａからの左下部のゾーンＩＶと右下部のゾーンＶＩへの液剤（次亜塩素酸を含んだ水）の吐出に加え、ボウル用ミストノズル２０２ｂからボウル部１０３の上部である左上部のゾーンＩ、中央上部のゾーンＩＩ、右上部のゾーンＩＩＩにも液剤を吐出すると共に、ボウル用ミストノズル２０２ｃから中央下部のゾーンＶにも吐出する。
【００８８】
上述した「ボウル部殺菌モード１」「ボウル部殺菌モード２」「ボウル部殺菌モード３」のように、ボウル部１０３の立壁部１０４の部位ごとに液剤の吐出の仕方を異ならせることで、各部位で異なるものとなっている雑菌の増殖に応じて必要最小限の液剤によって臭気や尿石の発生を抑制することができる。
【００８９】
続いて、図９，１０，１１，１２に、図４を併せて参照しながら、トラップユニット３０に液剤を吐出し、臭気と尿石の発生を抑制する吐出形態について説明する。
【００９０】
図９は、「トラップ封鎖モード」の吐出態様を示す模式図である。図９に示す「トラップ封鎖モード」は、例えば週末等、小便器ＵＳが長時間使用されないことで、使用者の尿がトラップユニットに新たに流入せず、トラップユニット３０内に貯留されていた尿が揮発し、封水が不足しているか、又は不足するおそれがある場合に、そのトラップユニット３０内の水位を回復させるためのモードである。
【００９１】
具体的には、電解ユニット２１３を駆動させることなく、電動ポンプ２１４から供給されてくるごく少量の液剤（塩化物イオンを含んだ水）をそのままノズルユニット２０２側に供給する。そして、その液剤をノズルユニット２０２のトラップ用液ノズル２０２ｄから吐出させる。トラップ用液ノズル２０２ｄは、トラップユニット３０に指向して水を吐出するので、ボウル部１０３の立壁部１０４にほとんど付着させることなく、トラップユニット３０に液剤としての水が供給される。これにより、トラップユニット３０内に液剤が流入し内部の水位が回復して、封水機能が回復する。またこの時、流入する液剤によって、トラップユニット３０内に配置されている薬剤３０４の溶解が若干ではあるが促進され、薬剤３０４の機能によってトラップユニット３０４の臭気と尿石が抑制される。
【００９２】
図１０は、「徐溶モード」の吐出態様を示す模式図である。図１０に示す「徐溶モード」は、小便器ＵＳがさらに長時間使用されないことで、トラップユニット３０内に貯留されている尿における雑菌の増殖が重度となっている場合に、その対応として、薬剤３０４の溶解を促進させるためのモードである。
【００９３】
具体的には、電解ユニット２１３を駆動させることなく、電動ポンプ２１４の駆動によって供給されてくるやや多めの液剤（塩化物イオンを含んだ水）をそのままノズルユニット２０２側に供給する。そして、そのやや多めの液剤をノズルユニット２０２のトラップ用液ノズル２０２ｄから吐出させる。トラップ用液ノズル２０２ｄは、トラップユニット３０に指向して水を吐出するので、ボウル部１０３の立壁部１０４にほとんど付着させることなく、トラップユニット３０に液剤としての水が供給される。
【００９４】
これにより、トラップユニット３０内にやや多めの液剤が流入し、それまでに溶解した薬剤によって飽和状態にあったトラップユニット３０内の尿が希釈されることで、薬剤の溶解が促進される。薬剤３０４の溶解促進により、トラップユニット３０内の雑菌が死滅し、臭気と尿石の発生がより抑制された状態になる。
【００９５】
図１１は、「トラップ置換モード」の吐出態様を示す模式図である。図１１に示す「トラップ置換モード」は、長期の連休中など、小便器ＵＳが極端に長時間使用されない場合に、その対応として、トラップユニット３０内に貯留されている液剤を尿と置換させてトラップユニット３０内から排出するためのモードである。
【００９６】
具体的には、電解ユニット２１３を駆動させることなく、電動ポンプ２１４の駆動によって供給されてくる多めの液剤（塩化物イオンを含んだ水）をそのままノズルユニット２０２側に供給する。そして、その多めの液剤をノズルユニット２０２のトラップ用液ノズル２０２ｄから吐出させる。トラップ用液ノズル２０２ｄは、トラップユニット３０に指向して水を吐出するので、ボウル部１０３の立壁部１０４にほとんど付着させることなく、トラップユニット３０に液剤としての水が供給される。
【００９７】
これにより、トラップユニット３０内に多めの液剤が流入し、その液剤によって、それまで貯留されていた尿を排水管ＷＴに排出し、トラップユニット３０における尿の割合を低減させる。小便器１が極端に長時間使用されない状況では、トラップユニット３０内の尿における臭気等を抑制するためには、少量の薬剤や液剤を何度も供給するよりも、トラップユニット３０内の尿を液剤で一気に置換させることが効率的である。このように一気に置換した方が、その後の臭気等が抑制された状態を維持するために必要となる液剤や薬剤の量も少量で済むという考えに立脚したモードである。
【００９８】
図１２は、「排水管殺菌モード」の吐出態様を示す模式図である。図１２に示す「排水管殺菌モード」は、定期的（例えば一月に１回）に、排水管ＷＴを尿石や臭気の発生から保護するために、大量の液剤と薬剤を供給するためのモードである。このモードは、清掃作業者等が操作スイッチ２１８を投入することで実行される。
【００９９】
具体的には、電解ユニット２１３を駆動させることなく、電動ポンプ２１４の駆動によって供給されてくる液剤（塩化物イオンを含んだ水）をそのままノズルユニット２０２側に供給する。そして、所定の時間間隔を置きながら、ノズルユニット２０２のトラップ用液ノズル２０２ｄから液剤を断続的に吐出させる。ここで吐出される液剤は、液剤タンク２１２内に貯留されている液剤すべてである。これにより、トラップユニット３０内に供給された液剤によって溶解した薬剤３０４が、断続的に排水管ＷＴに、大量に供給される。したがって、トラップユニット３０と異なり交換が困難な排水管ＷＴを、尿石発生による詰まりから確実に保護することができる。
【０１００】
続いて、図１３を参照しながら、ボウル部１０３への送風により臭気と尿石の発生を抑制する「ボウル部乾燥モード」について説明する。図１３は、「ボウル部乾燥モード」の吐出態様を示す模式図である。
【０１０１】
図１３に示す「ボウル乾燥モード」は、「ボウル部殺菌モード１」「ボウル部殺菌モード２」「ボウル部殺菌モード３」を実行した後に、さらに確実にボウル部１０３における雑菌を死滅させるために実行されるモードである。具体的には、電解ユニット２１３や電動ポンプ２１４を駆動させず、ノズルユニット２０２からの液剤の吐出を行わない。一方、ボウル乾燥ファン２０３を駆動させることで、ボウル部１０３全体に送風する。ボウル部１０３全体が乾燥した状態となり、ボウル部１０３を雑菌が増殖し難い状態に維持することができる。
【０１０２】
続いて、図１４，１５，１６を参照しながら、ノズルユニット２０２の特性について説明する。図１４は、ボウル用ミストノズル２０２ａから吐出される液剤の状態を示す模式図である。図１５は、ボウル用ミストノズル２０２ｂ，２０２ｃから吐出される液剤の状態を示す模式図である。図１６は、トラップ用液ノズル２０２ｄから吐出される液剤の状態を示す模式図である。
【０１０３】
図１４に示すボウル用ミストノズル２０２ａは、ボウル部１０３の立壁部１０４の部位のうち、左下部のゾーンＩＶと右下部のゾーンＶＩに液剤を供給するためのノズルである。ボウル用ミストノズル２０２ａは、その下面に比較的大径の複数（本実施形態の場合は３つ）のノズル孔２０２ａａを有しており、各ノズル孔２０２ａａから液剤をミスト（霧）状にして吐出する。この際に吐出される液剤の粒径や流量及び流速はいずれも、後述するボウル用ミストノズル２０２ｂ，２０２ｃよりも大きく設定されている。これは、ボウル用ミストノズル２０２ａは、ノズルユニット２０２が取り付けられるボウル部１０３の上方から遠い位置である立壁部１０４の左下部のゾーンＩＶと右下部のゾーンＶＩに吐出するものであるため、確実にミストが到達するようにするためである。
【０１０４】
図１５に示すボウル用ミストノズル２０２ｂは、ボウル部１０３の立壁部１０４の部位のうち、左上部のゾーンＩと中央上部のゾーンＩＩと右上部のゾーンＩＩＩに液剤を供給するためのノズルである。ボウル用ミストノズル２０２ｃは、ボウル部１０３の立壁部１０４の部位のうち、中央下部のゾーンＩＶに液剤を供給するためのノズルである。ボウル用ミストノズル２０２ｂ，２０２ｃは、その下面に比較的小径の複数（本実施形態の場合は５つ）のノズル孔２０２ｂａ，２０２ｃａを有しており、各ノズル孔から液剤をミスト（霧）状にして吐出する。
【０１０５】
ここで、次亜塩素酸を含んだ水をミスト状にして吐出すると、空気中を漂う間に次亜塩素酸の濃度減衰が生じ、吐出位置から遠く離れた位置では、その殺菌効果を殆ど期待できなくなる。また、この次亜塩素酸の濃度減衰は、吐出した水の粒径が小さくなるほど顕著になる。
【０１０６】
上記知見に基づき、ボウル用ミストノズル２０２ａからミスト状にして吐出される液剤の粒径と流量は、ボウル用ミストノズル２０２ｂ，２０２ｃで吐出される水と比較していずれも大きくなるよう構成されている。詳細には、ボウル用ミストノズル２０２ａに設けられているノズル孔２０２ａａの径を、ボウル用ミストノズル２０２ｂ，２０２ｃのノズル孔２０２ｂａ，２０２ｃａの径に比べて大きくする一方、孔の数は少なくしている。
【０１０７】
これにより、ノズルユニット２０２から比較的遠い位置である立壁部１０４における左下部のゾーンＩＶと右下部のゾーンＶＩに次亜塩素酸を含んだ水を吐出する際は、その水の粒径を大きくすることができる。したがって、次亜塩素酸の濃度減衰を抑制し、確実に当該部位における雑菌を死滅させることができる。一方、ノズルユニット２０２から比較的近い位置である立壁部１０４における左上部のゾーンＩと中央上部のゾーンＩＩと右上部のゾーンＩＩＩに吐出する際は、水の粒径を小さくすることができる。したがって、当該部位において水が付着しやすくし、水に含まれている次亜塩素酸を十分に機能させて、雑菌を死滅させることができる。
【０１０８】
図１６に示すトラップ用液ノズル２０２ｄは、トラップユニット３０に対し直接液剤を供給するためのノズルである。具体的には、液剤をボウル部１０３の壁面に向かって吐出し、立壁部１０４を伝って流れ落ちることによってトラップユニット３０に液剤を供給するのではなく、トラップ用液ノズル２０２ｄから空中を落下してほぼ直接トラップユニット３０に液剤を供給する。このとき吐出される液剤は、ミスト状ではなく液状である。
【０１０９】
このように、ボウル部１０３とトラップユニット３０に液剤を吐出するノズルを別個のものとし、ボウル用ミストノズル２０２ａ，２０２ｂ，２０２ｃはトラップユニット３０よりもボウル部１０３の立壁部１０４寄りに指向するよう液剤を吐出し、トラップ用液ノズル２０２ｄはボウル部１０３の立壁部１０４よりもトラップユニット３０寄りに指向するよう液剤を吐出する。
【０１１０】
これにより、ボウル部１０３の立壁部１０４に残留する尿には、ボウル用ミストノズル２０２ａ，２０２ｂ，２０２ｃによって確実に液剤を供給することができる。一方、トラップユニット４０に貯留される尿には、トラップ用液ノズル２０２ｄによって液剤を吐出することにより、吐出した液剤がボウル部１０３に干渉することを抑制してトラップユニット３９の尿に確実に供給するとともに、ボウル部１０３の立壁部１０４に付着している雑菌が液剤によって流されてトラップユニット４０に流入することを軽減することができる。
【０１１１】
続いて、図１７を参照しながら、トラップユニット３０の構成について説明する。図１７は、トラップユニット３０の構成を示す概略断面図であって、図１７（Ａ）は、薬剤３０４が溶け出す前の初期状態を示し、図１７（Ｂ）は、薬剤３０４が溶けきった状態を示す。
【０１１２】
図１７（Ａ）に示すように、トラップユニット３０は、容器３０１とカバー３０２とを備えている。容器３０１は、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１は有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１の内外を連通している。
【０１１３】
容器３０１の上方には、カバー３０２が設けられている。カバー３０２は、傾斜壁３０２ａと、入口部３０２ｂと、筒状隔壁３０２ｃとを有する。傾斜壁３０２ａは、下部に開けられた入口部３０２ｂに向かうよう傾斜する。筒状隔壁３０２ｃは、入口部３０２ｂの外縁から傾斜壁３０２ａとは反対側に延びている。
【０１１４】
筒状隔壁３０２ｃには、その下方からソケット３０９が挿入されている。ソケット３０９は、底部３０９ｄと、円筒部３０９ｅとを有する。底部３０９ｄは、筒状隔壁３０２ｃの下端を塞ぐように形成されている。円筒部３０９ｅは、底部３０９ｄの外縁から一方に延びるように形成され、筒状隔壁３０２ｃの内側に沿って配置されている。底部３０９ｄの略中央を貫通するように、小径流路３０９ｂが設けられている。
【０１１５】
小径流路３０９ｂの円筒部３０９ｅ側には、円筒部３０９ｅと同じ方向に沿うように互いに離隔配置された複数の突起３０９ａが設けられている。円筒部３０９ｅが囲う空間は、大径流路３０９ｃとして構成されており、小径流路３０９ｂを通って貯留室３０１ｄと繋がっている。ソケット３０９と筒状隔壁３０２ｃとの間には、パッキン３０８が介在している。
【０１１６】
筒状隔壁３０２ｃの内部には、ソケット３０９の他に入口封鎖弁３０３、薬剤３０４、台座３０５、バネ３０６、及び連通口封鎖弁３０７が配置されている。
【０１１７】
台座３０５は、大径流路３０９ｃを上方から覆うようにしてソケット３０９の上端に載置されている。台座３０５は、その周方向に間隔をあけて複数の連通路３０５ａが形成されている。台座３０５の上方には、入口封鎖弁３０３が配置されている。台座３０５と入口封鎖弁３０３との間には、バネ３０６が配置されている。このバネ３０６が伸縮することにより、入口封鎖弁３０３は台座３０５に対し上下方向に摺動可能である。バネ３０６は圧縮された状態で配置されていることから、外力が作用していない状態では、入口封鎖弁３０３を入口部３０２ｂ近傍の下面に当接するまで押し上げ、入口部３０２ｂを遮蔽している。
【０１１８】
連通口封鎖弁３０７と薬剤３０４は、台座３０５の下方でソケット３０９の大径流路３０９ｃの内部に設けられている。具体的には、ソケット３０９の複数の突起３０９ａ上に固形の薬剤３０４が載置され、さらに、その薬剤３０４の上に連通口封鎖弁３０７が載置されている。連通口封鎖弁３０７には、その周方向に間隔をあけて複数の連通路３０７ａが形成されている。
【０１１９】
固形の薬剤３０４は、使用開始時前に外表面に位置する第１薬剤３０４ａと、第１薬剤３０４ａに被覆されるよう内部に位置する第２薬剤３０４ｂからなる。第１薬剤３０４ａと第２薬剤３０４ｂとは、いずれも尿に溶解することで尿中の雑菌を死滅させる機能を有することでは共通しているが、尿に対する溶解速度が、第１薬剤３０４ａよりも第２薬剤３０４ｂの方が大きい。
【０１２０】
引き続き図１７を参照して、トラップユニット３０内の動作について説明する。小便器ＵＳの底面開口部１０６から排出された尿は、トラップユニット３０に至り、上面の傾斜壁３０２ａの傾斜によって入口部３０２ｂに集められる。そして、集められた尿は、入口封鎖弁３０３上に貯留する。
【０１２１】
入口封鎖弁３０３上に貯留する尿が所定量となると、その重みにより、入口封鎖弁３０３はバネ３０６の付勢力に抗して押し下げられる。これにより、入口部３０２ｂが解放され、貯留されていた尿が筒状隔壁３０２ｃ内に流入する。筒状隔壁３０２ｃ内に流入した尿は、台座３０５の連通路３０５ａを通過し、連通口封鎖弁３０７の連通路３０７ｃを通過する。
【０１２２】
連通路３０７ａを通過した尿は、その下方に配置されている薬剤３０４の側方に至る。薬剤３０４は尿との接触によって溶解する。尿はさらに、薬剤３０４の下方において、ソケット３０９の複数の突起３０９ａの隙間を流れて、小径流路３０９ｂに至る。尿は、小径流路３０９ｂを流れてソケット３０９から排出され、貯留室３０１ｄ内に貯留される。
【０１２３】
貯留室３０１ｄ内が尿で満たされると、入口封鎖弁３０３から新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０１２４】
固形の薬剤３０４は、その使用に伴って体積が減少するよう構成されている。この体積減少により、薬剤３０４に載置されていた連通口封鎖弁３０７は、大径流路３０９ｃ内を降下していく。薬剤３０４が消失すると、図１７（Ｂ）に示すように、連通口封鎖弁３０７の下面に設けられる突起３０７ｂが小径流路３０９ｂ内に嵌入する。これにより、小径流路３０９ｂが封鎖され、入口部３０２ｂから新たな尿が貯留室３０１ｄ内に進入できなくなり、トラップユニット３０から排水管ＷＴへの尿の送出が規制される。
【０１２５】
このように尿がトラップユニット３０の内部に流入できなくなることで、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４が溶解していない尿が流れることを防止し、排水管ＷＴの保護を図ることが可能となる。
【０１２６】
続いて、図１７に加え図１８を参照しながら、連通口封鎖弁３０７の降下について説明する。図１８は、連通口封鎖弁３０７の降下量を示すグラフである。
【０１２７】
図１８に示すグラフでは、横軸にトラップユニット３０を通過した尿量Ｑを示している。すなわち、横軸の右側ほど、小便器ＵＳが長期間使用され、トラップユニット３０を通過した尿量が多くなっていることを示す。一方、縦軸は、連通口封鎖弁３０７の降下量Ｌを示す。すなわち、図１７（Ａ）に示すように、薬剤３０４の使用開始前で、薬剤３０４に載置されている連通口封鎖弁３０７が最も上方に位置している状態を基準位置Ｏとし、使用に伴って薬剤３０４の体積が減少し、基準位置から連通口封鎖弁３０７が降下した量を降下量Ｌとして示す。
【０１２８】
図１８に示すグラフの変化をみると、区間Ｐ０〜Ｐ１における傾きに対し、区間Ｐ１〜Ｐ２における傾きは、極端に大きくなっている。これは、薬剤３０４を構成する第１薬剤３０４ａと第２薬剤３０４ｂのうち、区間Ｐ０〜Ｐ１では、使用開始時から表面に存在する第１薬剤３０４ａが優先的に溶解するのに対し、区間Ｐ１〜Ｐ２では、それまで第１薬剤３０４ａに被覆されていた第２薬剤３０４ｂが優先的に溶解するためである。
【０１２９】
薬剤３０４の使用初期は、尿に対する溶解速度が比較的小さい第１薬剤３０４ａが優先的に溶解するため、トラップユニット３０を通過した尿量Ｑに対する薬剤３０４の体積減少は比較的穏やかである。これに対し、薬剤３０４の使用後期は、第１薬剤３０４ａの溶解によってそれまで被覆されていた第２薬剤３０４ｂが表面に露出するため、尿に対する溶解速度が比較的大きい第２薬剤３０４ｂの溶解が始まる。このことにより、トラップユニット３０を通過する尿量Ｑに対する薬剤３０４ｂの体積減少が加速することで、連通口封鎖弁３０７の降下も加速する。
【０１３０】
図１８に示すトラップユニット３０において、薬剤３０４の消失速度が一定だとすると、使用に伴う連通口封鎖弁３０７の降下も一定の速度になる。そうすると、大径流路３０９ｃ内の尿の搬送流路の流路断面積が次第に減少し、尿の搬送性が徐々に悪化する。このように徐々に搬送性が悪化していくものとすると、その変化を見た使用者等に、薬剤３０４がまだ残存しているにもかかわらず、薬剤３０４が消失したと誤認させてしまうおそれがある。このような薬剤消失の誤認は、薬剤補充のためにトラップユニット３０や薬剤３０４を不必要に交換させてしまうことに繋がる。
【０１３１】
そこで、本実施形態の薬剤３０４では、第１薬剤３０４ａと第２薬剤３０４ｂで構成するという簡単な構成としながらも、使用後期は使用前期よりも、急速に溶解して搬送流路の流路断面積が急速に減少する構成とすることで、薬剤３０４が消失する直前まで尿の搬送性を高く維持し、上記のような使用者らの誤認を防止することが可能となる。
【０１３２】
続いて、図１９を参照しながら、本実施形態の小便器ＵＳにおける制御動作について説明する。図１９は、小便器ＵＳのボウル部殺菌における制御動作を示すフローチャートである。本実施形態の小便器ＵＳは、上述した「待機モード」「ボウル部殺菌モード１」「ボウル部殺菌モード２」「ボウル部殺菌モード３」「トラップ封鎖モード」「徐溶モード」「トラップ置換モード」「排水管殺菌モード」「ボウル部乾燥モード」を、使用状況や菌の繁殖状況を勘案して適宜組み合わせ実行するものである。
【０１３３】
ステップＳ０１では、ＣＰＵ２１１は、小便器ＵＳが使用中であるか否かを判断する。ＣＰＵ２１１は、人体検知センサー１０２から人体検知信号が出力されていれば小便器ＵＳが使用中であると判断し、人体検知センサー１０２から人体検知信号が出力されていなければ小便器ＵＳは使用中でないと判断する。小便器ＵＳが使用中であると判断すれば、ステップＳ１０の処理に進み、小便器ＵＳが使用中でないと判断すれば、ステップＳ０２の処理に進む。
【０１３４】
ステップＳ１０では、ＣＰＵ２１１は、「待機モード」を強制的に実行する。小便器ＵＳが使用中であれば、ノズルユニット２０２からの吐水は使用者にかかってしまうので、そのような事態を回避するため、洗浄殺菌動作を行わない「待機モード」を実行する。
【０１３５】
ステップＳ０２では、ＣＰＵ２１１は、直近２時間の平均室温が２５℃以上であるか否かを判断する。平均室温が２５℃以上であれば、菌の繁殖が促進されるので、殺菌頻度を高める処理をするためである。尚、本実施形態では平均室温で判断しているが、例えば夏季であるか否かを判断基準にすることも好ましい。平均室温が２５℃以上であれば、ステップＳ０３の処理に進み、平均室温が２５℃以上でなければ、ステップＳ１１の処理に進む。
【０１３６】
ステップＳ０３では、ＣＰＵ２１１は、前回のボウル殺菌後から２時間経過しているか否かを判断する。平均室温が２５℃以上でなく、前回のボウル殺菌後から２時間経過していなければ、菌の繁殖はさほどのものではない一方で、平均室温が２５℃以上であれば、前回のボウル殺菌後から２時間を超えると菌の繁殖が進んでしまうため、前回のボウル殺菌ごから２時間経過したか否かを判断している。
【０１３７】
ここで、従来の水洗小便器のように、毎回洗浄することは必ずしも必要ではなく、しかもその頻度がある時間間隔で行えばよいことを、図２２，２３，２４，２５，２６を参照しながら説明する。
【０１３８】
図２２は、ｐＨと臭気強度との相関関係を説明するための図である。図２２では、横軸にトラップ内のｐＨを、縦軸に臭気強度をとっている。臭気強度は、１を超えると臭いが認識できるレベルとなる。図２２に示すように、ｐＨ８以下であれば、不揮発性のＮＨ4+が支配的になり、ｐＨ８を超えると、揮発性のＮＨ3が支配的になるので、トラップ内のｐＨを８以下に抑制することが臭気抑制のために必要であることがわかる。
【０１３９】
図２３は、ｐＨと菌数との相関関係を説明するための図である。図２３では、横軸に放置時間を、縦軸に菌数をとっており、ｐＨごとに菌数の遷移を示している。図２３に示すように、ｐＨ４以下に抑制すれば時間が経過しても菌数は増えないことがわかる。
【０１４０】
図２４は、ｐＨと尿石量との相関関係を説明するための図である。図２４では、横軸にｐＨを、縦軸にＮＨ4の生成速度をとっている。図２４に示すように、ｐＨ４．５以下であればウレアーゼが不活性となり、アンモニアの生成が抑制され、尿石の生成も抑制されることがわかる。
【０１４１】
図２５は、小便器表面での菌及びアンモニア付着量の経時変化を説明するための図である。図２５では、横軸に使用時間を、縦軸にＮＨ4の付着量及び菌数をとっている。図２５に示すように、小便器表面に小便が付着しても２時間以下であればＮＨ4の付着量も菌数も臭気強度を２以上にするほどには増加しないことがわかる。
【０１４２】
図２６は、尿に菌を加えた場合のｐＨの経時変化を説明するための図である。図２６では、横軸に経過時間を、縦軸にｐＨの遷移をとっている。図２６に示すように、経過時間が２時間以下であればｐＨ８以上にはならず、図２２を参照しながら説明したように、臭気強度の有意な上昇はみられないことがわかる。
【０１４３】
図２２〜２６を参照しながら説明したように、尿による封水をｐＨ４以下に抑制し、その抑制タイミングは概ね２時間ごとであることが好ましいことがわかる。
【０１４４】
図１９に戻って、ステップＳ０３の説明を続ける。平均室温が２５℃以上であり、前回のボウル殺菌後から２時間経過していなければ、殺菌動作のタイミングではないので「待機モード」に移行してリターンする。平均室温が２５℃以上であり、前回のボウル殺菌後から２時間経過していれば、ステップＳ０４の処理に進む。
【０１４５】
一方、平均室温が２５℃以上でない場合の処理であるステップＳ１１では、ＣＰＵ２１１は、前回のボウル殺菌後から３時間経過しているか否かを判断する。平均室温が２５℃以上でなく、前回のボウル殺菌後から３時間経過していなければ、菌の繁殖はさほどのものではないためである。平均室温が２５℃以上でなく、前回のボウル殺菌後から３時間経過していなければ、殺菌動作のタイミングではないので「待機モード」に移行してリターンする。平均室温が２５℃以上でなく、前回のボウル殺菌後から３時間経過していれば、ステップＳ０４の処理に進む。
【０１４６】
ステップＳ０４では、ＣＰＵ２１１は、電解ユニット２１３に通電し、次亜塩素酸の生成を開始する。ステップＳ０４に続くステップＳ０５では、ＣＰＵ２１１は、使用者が１０人以上であるか否かを判断する。使用者が一定数を超えると、トラップユニット３０内の封水は新しい尿で置換されて、菌の繁殖はあまり進んでいないと考えられる。一方、ボウル部１０３の特に立壁部１０４の側部では、尿が飛散し付着して菌の繁殖の温床となりうるものと想定される。そこで、使用者が１０人以上であればステップＳ１２の処理に進み、使用者が１０人以上でなければステップＳ０６の処理に進む。
【０１４７】
ステップＳ１２では、ＣＰＵ２１１は、「ボウル部殺菌モード３」を実行する。ステップＳ１２に続くステップＳ１３では、「ボウル部殺菌モード３」の実行後１０分インターバルをおき、「ボウル部乾燥モード」を１０分実行する。「ボウル部乾燥モード」実行中は、警告ランプ２２０を点灯させる。
【０１４８】
ステップＳ０６では、ＣＰＵ２１１は、使用者が０人であるか否かを判断する。使用者が０人であれば、汚れが進行している可能性が高いためである。使用者が０人であればステップＳ０７の処理に進み、使用者が０人でなければステップＳ１４の処理に進む。
【０１４９】
ステップＳ０７では、ＣＰＵ２１１は、最後のボウル部殺菌から８時間が経過しているか否かを判断する。使用者が０人で最後のボウル部殺菌から８時間が経過していれば、夜間などの低頻度使用時間帯であり、菌の繁殖が進行する可能性があるためである。最後のボウル部殺菌から８時間が経過していなければリターンし、最後のボウル部殺菌から８時間が経過していればステップＳ０８の処理に進む。
【０１５０】
ステップＳ０８では、ＣＰＵ２１１は、「ボウル部殺菌モード３」を実行する。尚、その後は、使用されるまでボウル部殺菌は行わない。
【０１５１】
ステップＳ０８に続くステップＳ０９では、「ボウル部殺菌モード３」の実行後１０分インターバルをおき、「ボウル部乾燥モード」を３０分実行する。「ボウル部乾燥モード」実行中は、警告ランプ２２０を点灯させる。
【０１５２】
ステップＳ１４では、ＣＰＵ２１１は、使用者が３人以下であるか否かを判断する。使用者が３人以下であればステップＳ１５の処理に進み、使用者が３人以下でなければステップＳ１８の処理に進む。
【０１５３】
ステップＳ１５では、ＣＰＵ２１１は、前回のボウル部殺菌が「ボウル部殺菌モード１」の実行であったか否かを判断する。ボウル部１０３の中央に液剤を供給しない「ボウル部殺菌モード１」を続けると、ボウル部１０３の中央部や上方部に菌が大量に増殖するおそれがあるためである。前回のボウル部殺菌が「ボウル部殺菌モード１」の実行であればステップＳ１８の処理に進み、前回のボウル部殺菌が「ボウル部殺菌モード１」の実行でなければステップＳ１６の処理に進む。
【０１５４】
ステップＳ１６では、ＣＰＵ２１１は、「ボウル部殺菌モード１」を実行する。ステップＳ１６に続くステップＳ１７では、「ボウル部殺菌モード１」の実行後１０分インターバルをおき、「ボウル部乾燥モード」を１０分実行する。「ボウル部乾燥モード」実行中は、警告ランプ２２０を点灯させる。
【０１５５】
ステップＳ１８では、ＣＰＵ２１１は、「ボウル部殺菌モード２」を実行する。ステップＳ１８に続くステップＳ１９では、「ボウル部殺菌モード２」の実行後１０分インターバルをおき、「ボウル部乾燥モード」を１０分実行する。「ボウル部乾燥モード」実行中は、警告ランプ２２０を点灯させる。
【０１５６】
続いて、図２０を参照しながら、本実施形態の小便器ＵＳにおける制御動作について説明する。図２０は、小便器ＵＳのトラップ殺菌における制御動作を示すフローチャートである。本実施形態の小便器ＵＳは、上述した「待機モード」「ボウル部殺菌モード１」「ボウル部殺菌モード２」「ボウル部殺菌モード３」「トラップ封鎖モード」「徐溶モード」「トラップ置換モード」「排水管殺菌モード」「ボウル部乾燥モード」を、使用状況や菌の繁殖状況を勘案して適宜組み合わせ実行するものである。
【０１５７】
ステップＳ３１では、ＣＰＵ２１１は、小便器ＵＳが使用中であるか否かを判断する。ＣＰＵ２１１は、人体検知センサー１０２から人体検知信号が出力されていれば小便器ＵＳが使用中であると判断し、人体検知センサー１０２から人体検知信号が出力されていなければ小便器ＵＳは使用中でないと判断する。小便器ＵＳが使用中であると判断すれば、ステップＳ３６の処理に進み、小便器ＵＳが使用中でないと判断すれば、ステップＳ３２の処理に進む。
【０１５８】
ステップＳ３６では、ＣＰＵ２１１は、「待機モード」を強制的に実行する。小便器ＵＳが使用中であれば、ノズルユニット２０２からの吐水は使用者にかかってしまうので、そのような事態を回避するため、洗浄殺菌動作を行わない「待機モード」を実行する。
【０１５９】
ステップＳ３２では、ＣＰＵ２１１は、直近２時間の平均室温が２５℃以上であるか否かを判断する。平均室温が２５℃以上であれば、菌の繁殖が促進されるので、殺菌頻度を高める処理をするためである。尚、本実施形態では平均室温で判断しているが、例えば夏季であるか否かを判断基準にすることも好ましい。平均室温が２５℃以上であれば、ステップＳ３３の処理に進み、平均室温が２５℃以上でなければ、ステップＳ３７の処理に進む。
【０１６０】
ステップＳ３３では、ＣＰＵ２１１は、不使用時間が２日となっているか否かを判断する。トラップユニット３０の殺菌は、尿の飛散を考慮する必要がないことから、不使用時間のみを考慮すれば足りるからである。不使用時間が２日となっていればステップＳ４０の処理に進み、不使用時間が２日となっていなければステップＳ３４の処理に進む。
【０１６１】
ステップＳ３７では、ＣＰＵ２１１は、不使用時間が３日となっているか否かを判断する。不使用時間が３日となっていればステップＳ４０の処理に進み、不使用時間が３日となっていなければステップＳ３８の処理に進む。
【０１６２】
ステップＳ４０では、ＣＰＵ２１１は、「トラップ封鎖モード」を実行する。この場合の吐出水量は、５０ｃｃである。
【０１６３】
ステップＳ３４では、ＣＰＵ２１１は、不使用時間が４日となっているか否かを判断する。不使用時間が４日となっていればステップＳ４２の処理に進み、不使用時間が４日となっていなければステップＳ３５の処理に進む。
【０１６４】
ステップＳ３８では、ＣＰＵ２１１は、不使用時間が５日となっているか否かを判断する。不使用時間が５日となっていればステップＳ４２の処理に進み、不使用時間が５日となっていなければステップＳ３９の処理に進む。
【０１６５】
ステップＳ４０では、ＣＰＵ２１１は、「徐溶モード」を実行する。この場合の吐出水量は、１００ｃｃである。
【０１６６】
ステップＳ３５では、ＣＰＵ２１１は、不使用時間が６日となっているか否かを判断する。不使用時間が６日となっていればステップＳ４４の処理に進み、不使用時間が４日となっていなければリターンする。
【０１６７】
ステップＳ３９では、ＣＰＵ２１１は、不使用時間が７日となっているか否かを判断する。不使用時間が７日となっていればステップＳ４４の処理に進み、不使用時間が７日となっていなければリターンする。
【０１６８】
ステップＳ４０では、ＣＰＵ２１１は、「トラップ置換モード」を実行する。この場合の吐出水量は、２５０ｃｃである。
【０１６９】
続いて、図２１を参照しながら、本実施形態の小便器ＵＳにおける制御動作について説明する。図２１は、小便器ＵＳの排水管殺菌における制御動作を示すフローチャートである。本実施形態の小便器ＵＳは、上述した「待機モード」「ボウル部殺菌モード１」「ボウル部殺菌モード２」「ボウル部殺菌モード３」「トラップ封鎖モード」「徐溶モード」「トラップ置換モード」「排水管殺菌モード」「ボウル部乾燥モード」を、使用状況や菌の繁殖状況を勘案して適宜組み合わせ実行するものである。
【０１７０】
ステップＳ６１では、ＣＰＵ２１１は、前回の排水管洗浄から１ヶ月が経過しているか否かを判断する。排水管ＷＴの殺菌は、尿の飛散を考慮する必要がないことから、洗浄インターバルのみを考慮すれば足りるからである。排水管洗浄から１ヶ月が経過していればステップＳ６２の処理に進み、排水管洗浄から１ヶ月が経過していなければリターンする。
【０１７１】
ステップＳ６２では、ＣＰＵ２１１は、液剤タンク２１２が満水状態であるか否かを判断する。液剤タンク２１２が満水状態であればステップＳ６３の処理に進み、液剤タンク２１２が満水状態でなければステップＳ６７の処理に進む。
【０１７２】
ステップＳ６３では、ＣＰＵ２１１は、警告ランプ２２０を点灯させ、排水管洗浄を行うことを告知する。ステップＳ６７では、ＣＰＵ２１１は、警告ランプ２２０を点灯させ、液剤タンク２１２への注水を促すと共に、排水管洗浄を行うことを告知する。
【０１７３】
ステップＳ６４では、ＣＰＵ２１１は、操作スイッチ２１８が操作されているか否かを判断する。操作スイッチ２１８が操作されていなければリターンし、操作スイッチ２１８が操作されていればステップＳ６５の処理に進む。
【０１７４】
ステップＳ６５では、ＣＰＵ２１１は電解ユニット２１３に通電し、次亜塩素酸の生成を開始する。
【０１７５】
ステップＳ６５に続くステップＳ６６では、ＣＰＵ２１１は、「排水管殺菌モード」を実行する。ＣＰＵ２１１は、電解ユニット２１３に通電し、次亜塩素酸を含む水を生成する。徐溶コントロールのため、１５秒間吐水し、３０秒インターバルで総計５００ｃｃ（５０ｃｃを１０回）放出する。
【０１７６】
続いて、本実施形態におけるトラップユニットの第１変形例について図２７を参照しながら説明する。図２７は、変形例であるトラップユニット３０Ａの構成を示す概略断面図であって、図２７（Ａ）は、薬剤３０４Ａが溶け出す前の初期状態を示し、図２７（Ｂ）は、薬剤３０４Ａが溶けきった状態を示す。
【０１７７】
図２７（Ａ）に示すように、トラップユニット３０Ａは、容器３０１とカバー３０２Ａとを備えている。容器３０１は、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１は有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１の内外を連通している。
【０１７８】
容器３０１の上方には、カバー３０２Ａが設けられている。カバー３０２Ａは、傾斜壁３０２ａＡと、入口部３０２ｂＡと、筒状隔壁３０２ｃＡと、下方傾斜壁３０２ｄＡと、を有する。傾斜壁３０２ａＡは、下部に開けられた入口部３０２ｂＡに向かうよう傾斜する。筒状隔壁３０２ｃＡは、入口部３０２ｂＡの外縁から傾斜壁３０２ａＡとは反対側に延びている。入口部３０２ｂＡから下方には、入口部３０２ｂＡから下方に広がるように設けられた下方傾斜壁３０２ｄＡが設けられている。
【０１７９】
容器３０１の底部３０１ｂからカバー３０２Ａに向かうように、薬剤ホルダー３１１Ａが延びている。薬剤ホルダー３１１Ａは、筒状隔壁３０２ｃＡの内側に突出するように形成されている。
【０１８０】
薬剤ホルダー３１１Ａは、フロートホールド部３１３Ａと、薬剤ホールド部３１２Ａとを有する。薬剤ホールド部３１２Ａは、円筒状の薬剤３０４Ａを保持するように形成されている。薬剤ホールド部３１２Ａの下方には、フロートホールド部３１３Ａが設けられている。フロートホールド部３１３Ａは、フロート３１０Ａを保持する部分である。フロートホールド部３１３Ａの上端側には、液体流入口３１４Ａが形成されている。
【０１８１】
小便器ＵＳの底面開口部１０６から排出された尿は、トラップユニット３０Ａに至り、上面の傾斜壁３０２ａＡの傾斜によって入口部３０２ｂＡに集められる。そして、集められた尿は、入口部３０２ｂＡから筒状隔壁３０２ｃＡ内部へと流れ込む。
【０１８２】
筒状隔壁３０２ｃＡ内部へと流れ込んだ尿は、その下方に配置されている薬剤３０４Ａに直接当たり、薬剤３０４Ａは尿との接触によって溶解する。尿はさらに、貯留室３０１ｄ内に貯留される。
【０１８３】
貯留室３０１ｄ内が尿で満たされると、入口部３０２ｂＡから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０１８４】
固形の薬剤３０４Ａは、その使用に伴って体積が減少するよう構成されている。この体積減少が進行し、薬剤３０４Ａが消失すると、フロート３１０Ａが浮き上がり、入口部３０２ｂＡを塞ぐ（図２７（Ｂ）参照）。このように入口部３０２ｂＡが塞がれると、尿がトラップユニット３０Ａの内部に流入できなくなり、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ａが溶解していない尿が流れることを防止し、排水管ＷＴの保護を図ることが可能となる。
【０１８５】
続いて、本実施形態におけるトラップユニットの第２変形例について図２８を参照しながら説明する。図２８は、変形例であるトラップユニット３０Ｂの構成を示す概略断面図であって、図２８（Ａ）は、薬剤３０４Ｂが溶け出す前の初期状態を示し、図２８（Ｂ）は、薬剤３０４Ｂが溶けきった状態を示す。
【０１８６】
図２８（Ａ）に示すように、トラップユニット３０Ｂは、容器３０１とカバー３０２Ａとを備えている。容器３０１は、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１は有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１の内外を連通している。
【０１８７】
容器３０１の上方には、カバー３０２Ｂが設けられている。カバー３０２Ｂは、傾斜壁３０２ａＢと、入口部３０２ｂＢと、筒状隔壁３０２ｃＢと、下方突起３０２ｄＢと、を有する。傾斜壁３０２ａＢは、下部に開けられた入口部３０２ｂＢに向かうよう傾斜する。筒状隔壁３０２ｃＢは、入口部３０２ｂＢの外縁よりも外側から傾斜壁３０２ａＢとは反対側に延びている。入口部３０２ｂＢから下方には、入口部３０２ｂＢから垂直下方に延びるように設けられた下方突起３０２ｄＢが設けられている。下方突起３０２ｄＢは、入口部３０２ｂＢを囲むように複数本設けられており、隣接する下方突起３０２ｄＢの間には隙間３０２ｅＢが設けられている。
【０１８８】
容器３０１の底部３０１ｂからカバー３０２Ｂに向かうように、薬剤ホルダー３１１Ｂが延びている。薬剤ホルダー３１１Ｂは、筒状隔壁３０２ｃＢの内側に向かうように形成されている。
【０１８９】
薬剤ホルダー３１１Ｂは、フロートホールド部３１３Ｂと、薬剤ホールド部３１２Ｂとを有する。薬剤ホールド部３１２Ｂは、円筒状の薬剤３０４Ｂを保持するように形成されている。薬剤ホールド部３１２Ｂの下方には、フロートホールド部３１３Ｂが設けられている。フロートホールド部３１３Ｂは、フロート３１０Ｂを保持する部分である。
【０１９０】
薬剤３０４Ｂの中央近傍には、貫通穴３０４ａＢが設けられている。フロート３１０Ｂは、蓋部３１６Ｂと連結するための連結棒３１５Ｂを有する。連結棒３１５Ｂは、薬剤３０４Ｂの貫通穴３０４ａＢ内を通るように配置されている。蓋部３１６Ｂは、下方突起３０２ｄＢに囲まれるように配置されている。
【０１９１】
小便器ＵＳの底面開口部１０６から排出された尿は、トラップユニット３０Ｂに至り、上面の傾斜壁３０２ａＢの傾斜によって入口部３０２ｂＢに集められる。そして、集められた尿は、入口部３０２ｂＢから下方突起３０２ｄＢに囲まれる空間へと流れ込み、隙間３０２ｅＢから筒状隔壁３０２ｃＢ内へと流れ込む。
【０１９２】
筒状隔壁３０２ｃＢ内部へと流れ込んだ尿は、その下方に配置されている薬剤３０４Ｂに直接当たり、薬剤３０４Ｂは尿との接触によって溶解する。尿はさらに、貯留室３０１ｄ内に貯留される。
【０１９３】
貯留室３０１ｄ内が尿で満たされると、入口部３０２ｂＢから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０１９４】
固形の薬剤３０４Ｂは、その使用に伴って体積が減少するよう構成されている。この体積減少が進行し、薬剤３０４Ｂが消失すると、フロート３１０Ｂが浮き上がり、蓋部３１６Ｂによって入口部３０２ｂＢが塞がれる（図２８（Ｂ）参照）。このように入口部３０２ｂＢが塞がれると、尿がトラップユニット３０Ｂの内部に流入できなくなり、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ｂが溶解していない尿が流れることを防止し、排水管ＷＴの保護を図ることが可能となる。
【０１９５】
続いて、本実施形態におけるトラップユニットの第３変形例について図２９を参照しながら説明する。図２９は、変形例であるトラップユニット３０Ｃの構成を示す概略断面図であって、図２９（Ａ）は、薬剤３０４Ｃが溶け出す前の初期状態を示し、図２９（Ｂ）は、薬剤３０４Ｃが溶けきった状態を示す。
【０１９６】
図２９（Ａ）に示すように、トラップユニット３０Ｃは、容器３０１とカバー３０２Ｃとを備えている。容器３０１は、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１は有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１の内外を連通している。
【０１９７】
容器３０１の上方には、カバー３０２Ｃが設けられている。カバー３０２Ｃは、傾斜壁３０２ａＣと、入口部３０２ｂＣと、筒状隔壁３０２ｃＣと、下方水平壁３０２ｄＣと、を有する。傾斜壁３０２ａＣは、下部に開けられた入口部３０２ｂＣに向かうよう傾斜する。筒状隔壁３０２ｃＣは、入口部３０２ｂＣの外縁よりも外側から傾斜壁３０２ａＣとは反対側に延びている。入口部３０２ｂＣから筒状隔壁３０２ｃＣに向かって、略水平に下方水平壁３０２ｄＣが設けられている。
【０１９８】
容器３０１の底部３０１ｂからカバー３０２Ｃに向かうように、薬剤ホルダー３１２Ｃが延びている。薬剤ホルダー３１２Ｃは、筒状隔壁３０２ｃＣの内側に突出するように形成されている。
【０１９９】
入口部３０２ｂＣを通って、蓋部３１６Ｃと薬剤載置部３１４Ｃとを連結するための連結棒３１５Ｃが設けられている。蓋部３１６Ｃは、入口部３０２ｂＣよりも上方に位置するように配置されている。薬剤載置部３１４Ｃには、液体流入口３１３Ｃが形成されている。
【０２００】
小便器ＵＳの底面開口部１０６から排出された尿は、トラップユニット３０Ｃに至り、上面の傾斜壁３０２ａＣの傾斜によって入口部３０２ｂＣに集められる。そして、集められた尿は、入口部３０２ｂＣから筒状隔壁３０２ｃＣ内部へと流れ込む。
【０２０１】
筒状隔壁３０２ｃＣ内部へと流れ込んだ尿は、貯留室３０１ｄ内に貯留される。貯留室３０１ｄ内に貯留された尿は、液体流入口３１３Ｃから薬剤３０４Ｃ側に流れ込む。薬剤３０４Ｃは尿との接触によって溶解する。尿はさらに、貯留室３０１ｄ内に貯留される。
【０２０２】
貯留室３０１ｄ内が尿で満たされると、入口部３０２ｂＣから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０２０３】
固形の薬剤３０４Ｃは、その使用に伴って体積が減少するよう構成されている。この体積減少が進行し、薬剤３０４Ｃが消失すると、蓋部３１６Ｃと薬剤載置部３１４Ｃと連結棒３１５Ｃとが一体的に下降し、蓋部３１６Ｃによって入口部３０２ｂＣが塞がれる（図２９（Ｂ）参照）。このように入口部３０２ｂＣが塞がれると、尿がトラップユニット３０Ｃの内部に流入できなくなり、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ｃが溶解していない尿が流れることを防止し、排水管ＷＴの保護を図ることが可能となる。
【０２０４】
続いて、本実施形態におけるトラップユニットの第４変形例について図３０を参照しながら説明する。図３０は、変形例であるトラップユニット３０Ｄの構成を示す概略断面図であって、図３０（Ａ）は、使用前の初期状態を示し、図３０（Ｂ）は、排尿時の状態を示す。
【０２０５】
トラップユニット３０Ｄは、図２９を参照しながら説明したトラップユニット３０Ｃに流入規制フロート３２０Ｄを付加したものである。従って、トラップユニット３０Ｃと共通する部分については、その説明を省略する。
【０２０６】
流入規制フロート３２０Ｄは、未使用状態において、図３０（Ａ）に示すように、入口部３０２ｂＣを塞ぐように、下方水平壁３０２ｄＣに当接している。
【０２０７】
小便器ＵＳの底面開口部１０６から排出された尿は、トラップユニット３０Ｄに至り、上面の傾斜壁３０２ａＣの傾斜によって入口部３０２ｂＣに集められる。そして、集められた尿は、その自重によって流入規制フロート３２０Ｄを押し下げ、入口部３０２ｂＣから筒状隔壁３０２ｃＣ内部へと流れ込む（図３０（Ｂ）参照）。
【０２０８】
筒状隔壁３０２ｃＣ内部へと流れ込んだ尿は、貯留室３０１ｄ内に貯留される。貯留室３０１ｄ内に貯留された尿は、液体流入口３１３Ｃから薬剤３０４Ｃ側に流れ込む。薬剤３０４Ｃは尿との接触によって溶解する。尿はさらに、貯留室３０１ｄ内に貯留される。
【０２０９】
貯留室３０１ｄ内が尿で満たされると、入口部３０２ｂＣから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０２１０】
固形の薬剤３０４Ｃは、その使用に伴って体積が減少するよう構成されている。この体積減少が進行し、薬剤３０４Ｃが消失すると、蓋部３１６Ｃと薬剤載置部３１４Ｃと連結棒３１５Ｃとが一体的に下降し、蓋部３１６Ｃによって入口部３０２ｂＣが塞がれる。このように入口部３０２ｂＣが塞がれると、尿がトラップユニット３０Ｄの内部に流入できなくなり、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ｃが溶解していない尿が流れることを防止し、排水管ＷＴの保護を図ることが可能となる。
【０２１１】
続いて、本実施形態におけるトラップユニットの第５変形例について図３１を参照しながら説明する。図３１は、変形例であるトラップユニット３０Ｅの構成を示す概略断面図である。
【０２１２】
図３１に示すように、トラップユニット３０Ｅは、容器３０１とカバー３０２Ｅとを備えている。容器３０１は、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１は有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１の内外を連通している。
【０２１３】
容器３０１の上方には、カバー３０２Ｅが設けられている。カバー３０２Ｅは、傾斜壁３０２ａＥと、入口部３０２ｂＥと、筒状隔壁３０２ｃＥとを有する。傾斜壁３０２ａＥは、下部に開けられた入口部３０２ｂＥに向かうよう傾斜する。筒状隔壁３０２ｃＥは、入口部３０２ｂＥの外縁から傾斜壁３０２ａＥとは反対側に延びている。
【０２１４】
筒状隔壁３０２ｃＥには、その下方からソケット３０９Ｅが挿入されている。ソケット３０９Ｅは、底部３０９ｄＥと、円筒部３０９ｅＥとを有する。底部３０９ｄＥは、筒状隔壁３０２ｃＥの下端を塞ぐように形成されている。円筒部３０９ｅＥは、底部３０９ｄＥの外縁から一方に延びるように形成され、筒状隔壁３０２ｃＥの内側に沿って配置されている。底部３０９ｄＥの略中央を貫通するように、小径流路３０９ｂＥが設けられている。
【０２１５】
円筒部３０９ｅＥが囲う空間は、大径流路３０９ｃＥとして構成されており、小径流路３０９ｂＥを通って貯留室３０１ｄと繋がっている。ソケット３０９Ｅと筒状隔壁３０２ｃＥとの間には、パッキン３０８Ｅが介在している。
【０２１６】
筒状隔壁３０２ｃＥの内部には、ソケット３０９Ｅの他に入口封鎖弁３０３Ｅ、薬剤３０４Ｅ、台座３０５Ｅ、及びバネ３０６Ｅが配置されている。
【０２１７】
台座３０５Ｅは、大径流路３０９ｃＥを上方から覆うようにしてソケット３０９Ｅの上端に載置されている。台座３０５Ｅは、中央近傍に上方突起３０５ｂＥが設けられている。上方突起３０５ｂＥは、入口部３０２ｂＥに向かう円筒状の突起である。上方突起３０５ｂＥには、入口封鎖弁３０３Ｅの薬剤保持棒３０３ｂＥが貫通している。上方突起３０５ｂＥと薬剤保持棒３０３ｂＥとの間には隙間が形成され、連通路３０５ａＥが形成されている。
【０２１８】
台座３０５Ｅの上方には、入口封鎖弁３０３Ｅが配置されている。入口封鎖弁３０３Ｅは、弁部３０３ａＥと、薬剤保持棒３０３ｂＥとを有する。台座３０５と弁部３０３ａＥとの間には、バネ３０６Ｅが配置されている。このバネ３０６Ｅが伸縮することにより、弁部３０３ａＥは台座３０５Ｅに対し上下方向に摺動可能である。バネ３０６は、外力が作用していない状態では、弁部３０３ａＥを入口部３０２ｂＥ近傍の下面に当接させ、入口部３０２ｂＥを遮蔽している。
【０２１９】
薬剤３０４Ｅは、薬剤保持棒３０３ｂＥに取り付けられ、台座３０５Ｅの下方でソケット３０９Ｅの大径流路３０９ｃＥの内部に配置されている。
【０２２０】
小便器ＵＳの底面開口部１０６から排出された尿は、トラップユニット３０Ｅに至り、上面の傾斜壁３０２ａＥの傾斜によって入口部３０２ｂＥに集められる。そして、集められた尿は、入口封鎖弁３０３Ｅ上に貯留する。
【０２２１】
入口封鎖弁３０３Ｅ上に貯留する尿が所定量となると、その重みにより、入口封鎖弁３０３Ｅはバネ３０６Ｅの付勢力に抗して押し下げられる。これにより、入口部３０２ｂＥが解放され、貯留されていた尿が筒状隔壁３０２ｃＥ内に流入する。筒状隔壁３０２ｃＥ内に流入した尿は、台座３０５Ｅの連通路３０５ａＥを通過し、その下方に配置されている薬剤３０４Ｅに至る。薬剤３０４Ｅは尿との接触によって溶解する。尿はさらに、薬剤３０４Ｅの下方において、小径流路３０９ｂＥに至る。尿は、小径流路３０９ｂＥを流れてソケット３０９Ｅから排出され、貯留室３０１ｄ内に貯留される。
【０２２２】
貯留室３０１ｄ内が尿で満たされると、入口封鎖弁３０３Ｅから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０２２３】
固形の薬剤３０４Ｅは、その使用に伴って体積が減少するよう構成されている。この体積減少により、薬剤３０４Ｅが消失すると、入口封鎖弁３０３Ｅ上に尿が溜まっても、バネ３０６Ｅの付勢力が勝り、入口封鎖弁３０３Ｅは下降しなくなる。これにより、入口部３０２ｂＥから新たな尿が貯留室３０１ｄ内に進入できなくなり、トラップユニット３０Ｅから排水管ＷＴへの尿の送出が規制される。
【０２２４】
このように尿がトラップユニット３０Ｅの内部に流入できなくなることで、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ｅが溶解していない尿が流れることを防止し、排水管ＷＴの保護を図ることが可能となる。
【０２２５】
続いて、本実施形態におけるトラップユニットの第６変形例について図３２を参照しながら説明する。図３２は、変形例であるトラップユニット３０Ｆの構成を示す概略断面図である。
【０２２６】
図３２に示すように、トラップユニット３０Ｆは、容器３０１Ｆとカバー３０２Ｆとを備えている。容器３０１Ｆは、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１Ｆは有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１Ｆの内外を連通している。出口部３０１ｃの下方内側には、側部３０１ａの内壁に当接するように円盤部材３２０Ｆが配置されている。円盤部材３２０Ｆには、連通穴３２０ａＦが形成されている。
【０２２７】
容器３０１Ｆの上方には、カバー３０２Ｆが設けられている。カバー３０２Ｆは、傾斜壁３０２ａＦと、入口部３０２ｂＦと、筒状隔壁３０２ｃＦと、下方傾斜壁３０２ｄＦと、を有する。傾斜壁３０２ａＦは、下部に開けられた入口部３０２ｂＦに向かうよう傾斜する。筒状隔壁３０２ｃＦは、入口部３０２ｂＦの外縁から傾斜壁３０２ａＦとは反対側に延びている。入口部３０２ｂＦから下方には、入口部３０２ｂＦから下方に広がるように設けられた下方傾斜壁３０２ｄＦが設けられている。
【０２２８】
連通穴３２０ａＦの下方には、薬剤３０４Ｆが配置されている。薬剤３０４Ｆの下端に設けられた凹部３０４ａＦ内には、フロート３１０Ｆが配置されている。
【０２２９】
小便器ＵＳの底面開口部１０６から排出された尿は、トラップユニット３０Ｆに至り、上面の傾斜壁３０２ａＦの傾斜によって入口部３０２ｂＦに集められる。そして、集められた尿は、入口部３０２ｂＦから筒状隔壁３０２ｃＦ内部へと流れ込む。
【０２３０】
筒状隔壁３０２ｃＦ内部へと流れ込んだ尿は、貯留室３０１ｄ内に貯留される。貯留室３０１ｄ内に貯留された尿は、貯留室３０１ｄ内に配置されている薬剤３０４Ｆに接触し、薬剤３０４Ｆは尿との接触によって溶解する。
【０２３１】
貯留室３０１ｄ内が尿で満たされると、入口部３０２ｂＦから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０２３２】
固形の薬剤３０４Ｆは、その使用に伴って体積が減少するよう構成されている。この体積減少が進行し、薬剤３０４Ｆが消失すると、フロート３１０Ａが浮き上がり、連通穴３２０ａＦを塞ぐ。このように連通穴３２０ａＦが塞がれると、尿がトラップユニット３０Ｆの内部に流入できなくなり、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ｆが溶解していない尿が流れることを防止し、排水管ＷＴの保護を図ることが可能となる。
【０２３３】
続いて、本実施形態におけるトラップユニットの第７変形例について図３３を参照しながら説明する。図３３は、変形例であるトラップユニット３０Ｇの構成を示す概略断面図である。
【０２３４】
図３３に示すように、トラップユニット３０Ｇは、容器３０１Ｆとカバー３０２Ｆとを備えている。容器３０１Ｆは、側部３０１ａと、底部３０１ｂとを有する。底部３０１ｂは、円形板状の部分である。側部３０１ａは、底部３０１ｂの外周から一方向に立ち上がるように形成された筒状の部分である。したがって、底部３０１ｂと側部３０１ａとにより、容器３０１Ｆは有底円筒形状をなし、内部に液体を貯留可能な貯留室３０１ｄを構成する。側部３０１ａの上部には、その周方向に間隔をあけて複数の出口部３０１ｃが形成され、この出口部３０１ｃによって容器３０１Ｆの内外を連通している。出口部３０１ｃの下方内側には、側部３０１ａの内壁に当接するように円盤部材３２０Ｆが配置されている。円盤部材３２０Ｆには、連通穴３２０ａＦが形成されている。
【０２３５】
容器３０１Ｆの上方には、カバー３０２Ｆが設けられている。カバー３０２Ｆは、傾斜壁３０２ａＦと、入口部３０２ｂＦと、筒状隔壁３０２ｃＦと、下方傾斜壁３０２ｄＦと、を有する。傾斜壁３０２ａＦは、下部に開けられた入口部３０２ｂＦに向かうよう傾斜する。筒状隔壁３０２ｃＦは、入口部３０２ｂＦの外縁から傾斜壁３０２ａＦとは反対側に延びている。入口部３０２ｂＦから下方には、入口部３０２ｂＦから下方に広がるように設けられた下方傾斜壁３０２ｄＦが設けられている。
【０２３６】
連通穴３２０ａＦの下方には、薬剤３０４Ｇが配置されている。連通穴３２０ａＦを通って、蓋部３１６Ｇと薬剤載置部３１４Ｇとを連結するための連結棒３１５Ｇが設けられている。蓋部３１６Ｇは、連通穴３２０ａＦよりも上方に位置するように配置されている。薬剤載置部３１４Ｇは、薬剤３０４Ｇに載置されている。
【０２３７】
小便器ＵＳの底面開口部１０６から排出された尿は、トラップユニット３０Ｆに至り、上面の傾斜壁３０２ａＦの傾斜によって入口部３０２ｂＦに集められる。そして、集められた尿は、入口部３０２ｂＦから筒状隔壁３０２ｃＦ内部へと流れ込む。
【０２３８】
筒状隔壁３０２ｃＦ内部へと流れ込んだ尿は、貯留室３０１ｄ内に貯留される。貯留室３０１ｄ内に貯留された尿は、貯留室３０１ｄ内に配置されている薬剤３０４Ｇに接触し、薬剤３０４Ｇは尿との接触によって溶解する。
【０２３９】
貯留室３０１ｄ内が尿で満たされると、入口部３０２ｂＦから新たな尿が流入してくることにより、それまで貯留室３０１ｄ内に貯留されていた尿は、押し出されるようにして側部３０１ａの出口部３０１ｃから排出される。出口部３０１ｃから排出された尿は、容器３０１の外方を流れて排水管ＷＴに至る。
【０２４０】
固形の薬剤３０４Ｇは、その使用に伴って体積が減少するよう構成されている。この体積減少が進行し、薬剤３０４Ｇが消失すると、蓋部３１６Ｇと薬剤載置部３１４Ｇと連結棒３１５Ｇとが一体的に下降し、蓋部３１６Ｇが連通穴３２０ａＦを塞ぐ。このように連通穴３２０ａＦが塞がれると、尿がトラップユニット３０Ｇの内部に流入できなくなり、小便器本体１０のボウル部１０３に尿が滞留する。このため、このボウル部１０３の尿の滞留を見た使用者は、小便器ＵＳが尿を流せない状態となっていることを認知することができるため、小便器ＵＳの使用を控えさせて更なる衛生性の悪化を回避することができる。また、清掃作業者等にも、薬剤補充のためにその交換が必要なタイミングにあることを認識させ、排水管ＷＴに薬剤３０４Ｇが溶解していない尿が流れることを防止し、排水管ＷＴの保護を図ることが可能となる。
【０２４１】
上述した本実施形態では、トラップユニット３０等が交換できる方式のものを説明したけれども、トラップが交換できない場合でも本発明の思想を適用したものが好適に用いられる。例えば、既存の目皿の下方に、薬剤と流路閉塞用のフロートとを一体的に配置するものが考えられる。使用により薬剤が消失すれば、フロートが上昇し、目皿の流入口を閉塞する。
【０２４２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０２４３】
ＵＳ：小便器
１０：小便器本体
１０１：ノズルカバー
１０２：人体検知センサー
１０３：ボウル部
１０４：立壁部
１０５：底面部
１０６：底面開口部
２０：衛生維持装置
２０１：コントロールユニット
２０２：ノズルユニット（液剤吐出手段）
２０２ａ：ボウル用ミストノズル
２０２ｂ：ボウル用ミストノズル
２０２ｃ：ボウル用ミストノズル
２０２ｄ：トラップ用液ノズル
２０３：ボウル乾燥ファン
２１１：ＣＰＵ（制御手段）
２１２：液剤タンク
２１３：電解ユニット
２１４：電動ポンプ
２１５：流路切替バルブ
２１６：水位センサー
２１７：温度センサー
２１８：操作スイッチ
２１９：電源コネクタ
２２０：警告ランプ
２２１：蓋
３０：トラップユニット
３０１：容器
３０１ａ：側部
３０１ｂ：底部
３０１ｃ：出口部
３０１ｄ：貯留室
３０２：カバー
３０２ａ：傾斜壁
３０２ｂ：入口部
３０２ｃ：筒状隔壁
３０３：入口封鎖弁
３０４：薬剤
３０４ａ：第１薬剤
３０４ｂ：第２薬剤
３０５：台座
３０５ａ：連通路
３０６：バネ
３０７：連通口封鎖弁
３０７ａ：連通路
３０８：パッキン
３０９：ソケット
３０９ａ：突起
３０９ｂ：小径流路
３０９ｃ：大径流路
３０９ｄ：底部
３０９ｅ：円筒部
【図１】
2014173265.tif 000003
【図２】
2014173265.tif 000004
【図３】
2014173265.tif 000005
【図４】
2014173265.tif 000006
【図５】
2014173265.tif 000007
【図６】
2014173265.tif 000008
【図７】
2014173265.tif 000009
【図８】
2014173265.tif 000010
【図９】
2014173265.tif 000011
【図１０】
2014173265.tif 000012
【図１１】
2014173265.tif 000013
【図１２】
2014173265.tif 000014
【図１３】
2014173265.tif 000015
【図１４】
2014173265.tif 000016
【図１５】
2014173265.tif 000017
【図１６】
2014173265.tif 000018
【図１７】
2014173265.tif 000019
【図１８】
2014173265.tif 000020
【図１９】
2014173265.tif 000021
【図２０】
2014173265.tif 000022
【図２１】
2014173265.tif 000023
【図２２】
2014173265.tif 000024
【図２３】
2014173265.tif 000025
【図２４】
2014173265.tif 000026
【図２５】
2014173265.tif 000027
【図２６】
2014173265.tif 000028
【図２７】
2014173265.tif 000029
【図２８】
2014173265.tif 000030
【図２９】
2014173265.tif 000031
【図３０】
2014173265.tif 000032
【図３１】
2014173265.tif 000033
【図３２】
2014173265.tif 000034
【図３３】
2014173265.tif 000035